(57)【要約】  ユーザが端末装置でコンテンツを再生する際のユーザの利便性を高めることができるコンテンツ再生システムを提供する。コンテンツ再生システムは、コンテンツを録画するための録画装置と、コンテンツを再生するための端末装置と、を備える。端末装置は、表示部と、ユーザの操作を受け付ける受付部と、ブックマークリストを記憶するリスト記憶部と、管理部と、表示制御部と、再生制御部と、を有する。管理部は、再生制御部から再生位置更新情報が通知された際には、その再生位置更新情報に基づいて、ブックマークリストに含まれる、コンテンツの再生位置を示す再生位置情報を更新する。
2016129224.tif 000002
【特許請求の範囲】
【請求項１】
コンテンツを録画するための録画装置と、前記コンテンツを再生するための端末装置と、を備えるコンテンツ再生システムであって、
前記録画装置は、
前記コンテンツをコンテンツ記憶部に録画する録画部と、
前記録画部の指示により前記コンテンツを記憶する前記コンテンツ記憶部と、
録画された前記コンテンツに関するコンテンツ情報を記憶するコンテンツ情報記憶部と、
前記コンテンツ記憶部に記憶された前記コンテンツを前記端末装置に配信するコンテンツ配信部と、
前記コンテンツ情報記憶部に記憶された前記コンテンツ情報を前記端末装置に配信するコンテンツ情報配信部と、を有し、
前記端末装置は、
表示部と、
ユーザの操作を受け付ける受付部と、
前記コンテンツの再生位置を示す再生位置情報を含むコンテンツ情報を有するブックマークリストを記憶するリスト記憶部と、
前記ブックマークリストを管理する管理部と、
前記ブックマークリストに含まれる前記コンテンツ情報の一覧を示すブックマーク一覧画面を前記表示部に表示させる表示制御部と、
前記コンテンツを再生するユーザ操作を前記受付部が受け付けた際には、前記再生位置情報が示す再生位置から前記コンテンツの再生を開始し、前記コンテンツの再生を停止するユーザ操作を前記受付部が受け付けた際には、前記コンテンツの再生を停止し且つ更新された前記コンテンツの再生位置を示す再生位置更新情報を前記管理部に通知する再生制御部と、を有し、
前記端末装置の前記管理部は、
前記再生制御部から前記再生位置更新情報が通知された際には、前記再生位置更新情報に基づいて前記ブックマークリストに含まれる前記再生位置情報を更新し、
前記コンテンツの再生が終了したと判定した際には、当該コンテンツに関する前記コンテンツ情報を前記ブックマークリストから削除する、
コンテンツ再生システム。
【請求項２】
前記端末装置の前記管理部は、前記コンテンツの再生を停止するユーザ操作を前記受付部が受け付けた時点で、前記コンテンツの残り再生時間が所定時間以下であり、且つ、前記コンテンツの全再生時間に対する前記残り再生時間の割合が所定値以下である場合に、前記コンテンツの再生が終了したと判定する、
請求項１に記載のコンテンツ再生システム。
【請求項３】
前記端末装置の前記リスト記憶部は、再生が終了した前記コンテンツに関する前記コンテンツ情報を含む再生履歴リストをさらに記憶し、
前記端末装置の前記管理部は、前記コンテンツの再生が終了したと判定した際には、当該コンテンツに関する前記コンテンツ情報を前記ブックマークリストから削除するとともに、当該コンテンツ情報を前記再生履歴リストに追加する、
請求項１に記載のコンテンツ再生システム。
【請求項４】
前記端末装置の前記管理部は、前記コンテンツを選択するユーザ操作を前記受付部が受け付けることにより、当該コンテンツに関する前記コンテンツ情報を前記ブックマークリストに追加する、
請求項１に記載のコンテンツ再生システム。
【請求項５】
前記端末装置の前記管理部は、前記コンテンツが再生されている状態で前記コンテンツを選択するユーザ操作を前記受付部が受け付けることにより、当該コンテンツに関する前記コンテンツ情報を前記ブックマークリストに追加する、
請求項１に記載のコンテンツ再生システム。
【請求項６】
前記端末装置において、
前記表示部はタッチパネルを有し、
前記受付部は、前記表示部が指で所定時間継続してタッチされた状態から、前記表示部上で前記指が所定方向にスワイプされたことを検出した際に、前記コンテンツを選択するユーザ操作を受け付け、
前記表示制御部は、
前記表示部が前記指で前記所定時間継続してタッチされた際に、アイコンを前記表示部に表示させ、
前記表示部に前記アイコンが表示された状態において前記表示部上で前記指が前記所定方向にスワイプされた際に、前記アイコンを前記所定方向に移動させる、
請求項１に記載のコンテンツ再生システム。
【請求項７】
前記端末装置の前記受付部は、前記コンテンツの録画を予約するための録画予約画面が前記表示部に表示されている状態で、前記コンテンツを選択するユーザ操作を受け付け可能であり、
前記端末装置の前記管理部は、前記コンテンツの録画が完了した際に、当該コンテンツに関する前記コンテンツ情報を前記ブックマークリストに追加する、
請求項１に記載のコンテンツ再生システム。
【請求項８】
コンテンツを再生するための端末装置と通信可能であり、前記コンテンツを録画するための録画装置であって、
前記コンテンツをコンテンツ記憶部に録画する録画部と、
前記録画部の指示により前記コンテンツを記憶する前記コンテンツ記憶部と、
録画された前記コンテンツに関するコンテンツ情報を記憶するコンテンツ情報記憶部と、
前記コンテンツ記憶部に記憶された前記コンテンツを前記端末装置に配信するコンテンツ配信部と、
前記コンテンツの再生位置を示す再生位置情報を含むコンテンツ情報を有するブックマークリストを記憶するリスト記憶部と、
前記ブックマークリストを管理する管理部と、を備え、
前記管理部は、
前記端末装置において前記コンテンツの再生を停止するユーザ操作が受け付けられた際には、更新された前記コンテンツの再生位置を示す再生位置更新情報に基づいて前記ブックマークリストに含まれる前記再生位置情報を更新し、
前記端末装置において前記コンテンツの再生が終了したと判定した際には、当該コンテンツに関する前記コンテンツ情報を前記ブックマークリストから削除する、
録画装置。
【請求項９】
コンテンツを再生するための端末装置であって、
表示部と、
ユーザの操作を受け付ける受付部と、
前記コンテンツの再生位置を示す再生位置情報を含むコンテンツ情報を有するブックマークリストを記憶するリスト記憶部と、
前記ブックマークリストを管理する管理部と、
前記ブックマークリストに含まれる前記コンテンツ情報の一覧を示すブックマーク一覧画面を前記表示部に表示させる表示制御部と、
前記コンテンツを再生するユーザ操作を前記受付部が受け付けた際には、前記再生位置情報が示す再生位置から前記コンテンツの再生を開始し、前記コンテンツの再生を停止するユーザ操作を前記受付部が受け付けた際には、前記コンテンツの再生を停止し且つ更新された前記コンテンツの再生位置を示す再生位置更新情報を前記管理部に通知する再生制御部と、を有し、
前記管理部は、
前記再生制御部から前記再生位置更新情報が通知された際には、前記再生位置更新情報に基づいて前記ブックマークリストに含まれる前記再生位置情報を更新し、
前記コンテンツの再生が終了したと判定した際には、当該コンテンツに関する前記コンテンツ情報を前記ブックマークリストから削除する、
端末装置。
【請求項１０】
コンテンツを録画するための録画装置と、前記コンテンツを再生するための端末装置と、を備えるコンテンツ再生システムにおけるコンテンツ再生方法であって、
録画対象の前記コンテンツが前記録画装置のコンテンツ記憶部に記憶されるステップと、
録画された前記コンテンツに関するコンテンツ情報が前記録画装置のコンテンツ情報記憶部に記憶されるステップと、
前記コンテンツ情報記憶部に記憶された前記コンテンツ情報が前記録画装置から前記端末装置に配信されるステップと、
前記コンテンツの再生位置を示す再生位置情報を含むコンテンツ情報を有するブックマークリストが前記端末装置のリスト記憶部に記憶されるステップと、
前記ブックマークリストに含まれる前記コンテンツ情報の一覧を示すブックマーク一覧画面が前記端末装置の表示部に表示されるステップと、
前記コンテンツを再生するユーザ操作が前記端末装置の受付部で受け付けられた際に、前記録画装置から前記端末装置に前記コンテンツが配信され且つ前記再生位置情報が示す再生位置から前記コンテンツの再生が開始されるステップと、
前記コンテンツの再生を停止するユーザ操作が前記受付部で受け付けられた際に、前記コンテンツの再生が停止され且つ更新された前記コンテンツの再生位置を示す再生位置更新情報に基づいて前記ブックマークリストに含まれる前記再生位置情報が更新されるステップと、
前記コンテンツの再生が終了したと判定された際に、当該コンテンツに関する前記コンテンツ情報が前記ブックマークリストから削除されるステップと、を含む、
コンテンツ再生方法。
【発明の詳細な説明】
【技術分野】
【０００１】
本開示は、コンテンツ再生システム、録画装置、端末装置、およびコンテンツ再生方法に関する。
【背景技術】
【０００２】
特許文献１は情報管理装置および情報管理方法を開示する。【０００３】
コンテンツを配信するためのサーバと、配信されたコンテンツを再生するための端末装置と、を備えたコンテンツ再生システムが知られている（例えば、特許文献１参照）。従来のコンテンツ再生システムでは、端末装置には、コンテンツを再生するためのアプリケーションが実装されている。このアプリケーションは、コンテンツをブックマークリストに登録するためのブックマーク機能を有する。このコンテンツ再生システムは、例えば以下の動作が可能である。【０００４】
例えば、ユーザが、端末装置でコンテンツを再生している際に電波の受信状態が悪くなったとする。その場合、ユーザは、端末装置で、コンテンツをブックマークリストに登録する操作を行うことができる。その後、例えば電波の受信状態が改善した場合に、ユーザは、端末装置に表示されたブックマーク一覧画面で、ブックマークリストに登録されたコンテンツを選択する操作を行うことにより、選択されたコンテンツを、コンテンツの先頭から再生できる。
【先行技術文献】
【特許文献】
【０００５】
【特許文献１】特開２００６−３０１８７７号公報
【発明の概要】
【０００６】
本開示は、ユーザが端末装置でコンテンツを再生する際のユーザの利便性を高めることができるコンテンツ再生システム、録画装置、端末装置、およびコンテンツ再生方法を提供する。
【０００７】
本開示におけるコンテンツ再生システムは、コンテンツを録画するための録画装置と、コンテンツを再生するための端末装置と、を備える。コンテンツ再生システムにおいて、録画装置は、録画部と、コンテンツ記憶部と、コンテンツ情報記憶部と、コンテンツ配信部と、コンテンツ情報配信部と、を有する。録画部は、コンテンツをコンテンツ記憶部に録画する。コンテンツ記憶部は、録画部の指示によりコンテンツを記憶する。コンテンツ情報記憶部は、録画されたコンテンツに関するコンテンツ情報を記憶する。コンテンツ配信部は、コンテンツ記憶部に記憶されたコンテンツを端末装置に配信する。コンテンツ情報配信部は、コンテンツ情報記憶部に記憶されたコンテンツ情報を端末装置に配信する。端末装置は、表示部と、ユーザの操作を受け付ける受付部と、リスト記憶部と、管理部と、表示制御部と、再生制御部と、を有する。リスト記憶部は、ブックマークリストを記憶する。ブックマークリストは、コンテンツの再生位置を示す再生位置情報を含むコンテンツ情報を有する。管理部は、ブックマークリストを管理する。表示制御部は、ブックマークリストに含まれるコンテンツ情報の一覧を示すブックマーク一覧画面を表示部に表示させる。再生制御部は、コンテンツを再生するユーザ操作を受付部が受け付けた際には、再生位置情報が示す再生位置からコンテンツの再生を開始する。また、再生制御部は、コンテンツの再生を停止するユーザ操作を受付部が受け付けた際には、コンテンツの再生を停止し、かつ、更新されたコンテンツの再生位置を示す再生位置更新情報を管理部に通知する。そして、端末装置の管理部は、再生制御部から再生位置更新情報が通知された際には、その再生位置更新情報に基づいて、ブックマークリストに含まれる再生位置情報を更新する。また、管理部は、コンテンツの再生が終了したと判定した際には、当該コンテンツに関するコンテンツ情報をブックマークリストから削除する。
【０００８】
本開示におけるコンテンツ再生システムは、ユーザが端末装置でコンテンツを再生する際のユーザの利便性を高めることができる。
【図面の簡単な説明】
【０００９】
【図１】図１は、実施の形態１におけるコンテンツ再生システムの一構成例を模式的に示す図である。
【図２】図２は、実施の形態１におけるレコーダの機能構成の一例を模式的に示すブロック図である。
【図３】図３は、実施の形態１におけるサーバの機能構成の一例を模式的に示すブロック図である。
【図４】図４は、実施の形態１におけるサーバで管理されるブックマークリストの一例を模式的に示す図である。
【図５】図５は、実施の形態１におけるスマートフォンの機能構成の一例を模式的に示すブロック図である。
【図６】図６は、実施の形態１におけるスマートフォンに表示されるブックマーク一覧画面の一例を示す図である。
【図７】図７は、実施の形態１におけるスマートフォンに表示される再生画面の一例を示す図である。
【図８】図８は、実施の形態１におけるコンテンツ再生システムの動作の流れの一例を示すシーケンス図である。
【図９】図９は、実施の形態１においてコンテンツをブックマークリストに登録する手順の一例を模式的に示す図である。
【図１０】図１０は、実施の形態１においてコンテンツをブックマークリストに登録する手順の一例を模式的に示す図である。
【図１１】図１１は、実施の形態１においてコンテンツをブックマークリストに登録する手順の一例を模式的に示す図である。
【図１２】図１２は、実施の形態１における管理部によるブックマークリストの管理方法の一例を模式的に示す図である。
【図１３】図１３は、実施の形態２におけるコンテンツ再生システムの一構成例を模式的に示す図である。
【図１４】図１４は、実施の形態２におけるレコーダの機能構成の一例を模式的に示すブロック図である。
【図１５】図１５は、実施の形態２におけるコンテンツ再生システムの動作の流れの一例を示すシーケンス図である。
【図１６】図１６は、実施の形態３におけるコンテンツ再生システムの一構成例を模式的に示す図である。
【図１７】図１７は、実施の形態３におけるスマートフォンの機能構成の一例を模式的に示すブロック図である。
【図１８】図１８は、実施の形態３におけるコンテンツ再生システムの動作の流れの一例を示すシーケンス図である。
【図１９】図１９は、実施の形態４におけるコンテンツ再生システムの一構成例を模式的に示す図である。
【図２０】図２０は、実施の形態４におけるスマートフォンの機能構成の一例を模式的に示すブロック図である。
【図２１】図２１は、実施の形態４におけるコンテンツ再生システムの動作の流れの一例を示すシーケンス図である。
【図２２】図２２は、実施の形態５におけるコンテンツ再生システムの一構成例を模式的に示す図である。
【図２３】図２３は、実施の形態５におけるサーバの機能構成の一例を模式的に示すブロック図である。
【図２４】図２４は、実施の形態５におけるコンテンツ再生システムの動作の流れの一例を示すシーケンス図である。
【図２５】図２５は、実施の形態５におけるスマートフォンに表示されるブックマーク一覧画面の一例を示す図である。
【発明を実施するための形態】
【００１０】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１１】
なお、添付図面および以下の説明は、当業者が本開示を十分に理解するために提供されるのであって、これらにより特許請求の範囲に記載の主題を限定することは意図されていない。
【００１２】
なお、各図は、模式図であり、必ずしも厳密に図示されたものではない。また、各図において、実質的に同一の構成要素に対しては同一の符号を付しており、重複する説明は省略または簡略化される場合がある。
【００１３】
（実施の形態１）
以下、図１〜図１２を参照しながら、実施の形態１について説明する。
【００１４】
［１−１．コンテンツ再生システムの全体構成］
まず、図１を参照しながら、実施の形態１におけるコンテンツ再生システム２の全体構成について説明する。
【００１５】
図１は、実施の形態１におけるコンテンツ再生システム２の一構成例を模式的に示す図である。
【００１６】
図１に示すように、コンテンツ再生システム２は、レコーダ（録画装置）４、サーバ６、およびスマートフォン８、を備えている。レコーダ４、サーバ６、およびスマートフォン８は、インターネット１０を介して相互に通信可能である。スマートフォン８は端末装置の一例である。
【００１７】
なお、これらの機器は、インターネット１０以外の通信ネットワークによって相互に接続されてもよく、インターネット１０とその他の通信ネットワークとが混在したネットワークによって相互に接続されてもよい。
【００１８】
レコーダ４は、コンテンツ（例えば、放送番組等の動画コンテンツ）を録画するための録画装置の一例である。レコーダ４は、ユーザの宅内に設置されている。なお、レコーダ４は、ユーザの宅内に設置されたテレビジョン受像機１２とケーブル等で接続されていてもよい。
【００１９】
サーバ６は、ブックマークリストの管理等を行うためのサーバである。サーバ６は、例えばユーザの宅外に設置された、クラウドサーバである。ブックマークリストについては後述する。
【００２０】
スマートフォン８は、コンテンツを再生するための端末装置の一例である。スマートフォン８は、ユーザの宅内または宅外で、ユーザに使用される。スマートフォン８は、タッチパネルを備えて構成された表示部１３を有する。また、スマートフォン８には、コンテンツを再生するためのアプリケーションが実装されている。これにより、スマートフォン８では、アプリケーションによって再生されたコンテンツが表示部１３に表示される。
【００２１】
なお、コンテンツを再生するための端末装置はスマートフォン８に限定されず、携帯電話やタブレット端末、またはパーソナルコンピュータ、等であってもよい。
【００２２】
上述したコンテンツ再生システム２では、ユーザは、スマートフォン８を操作することにより、レコーダ４に録画されたコンテンツを、例えばユーザの宅外で視聴することができる。以下、ユーザがスマートフォン８を操作することを「ユーザ操作」ともいう。
【００２３】
［１−２．レコーダの機能構成］
次に、図２を参照しながら、レコーダ４の機能構成について説明する。
【００２４】
図２は、実施の形態１におけるレコーダ４の機能構成の一例を模式的に示すブロック図である。
【００２５】
図２に示すように、レコーダ４は、チューナ１４、録画部１６、録画予約部１８、コンテンツ記憶部２０、コンテンツ情報記憶部２２、再生部２４、コンテンツ配信部２６、およびコンテンツ情報配信部２８、を有する。
【００２６】
チューナ１４は、地上デジタル放送または衛星放送等により放送される放送番組等（以下、「コンテンツ」という）を受信するためのチューナである。
【００２７】
録画部１６は、チューナ１４で受信されたコンテンツをコンテンツ記憶部２０に記憶させる。以下、この動作を「録画」という。すなわち、録画部１６は、コンテンツをコンテンツ記憶部２０に録画する。
【００２８】
録画予約部１８は、ユーザに録画予約されたコンテンツを録画するために、ＥＰＧ（Ｅｌｅｃｔｒｏｎｉｃ  Ｐｒｏｇｒａｍ  Ｇｕｉｄｅ）を利用して、録画予約されたコンテンツの録画を録画部１６に実行させる。
【００２９】
コンテンツ記憶部２０は、録画部１６からの指示により、録画対象のコンテンツを記憶する。
【００３０】
コンテンツ情報記憶部２２は、コンテンツ記憶部２０に記憶されたコンテンツに関する情報（以下、「コンテンツ情報」と記す）を記憶する。なお、コンテンツ情報記憶部２２に記憶されるコンテンツ情報は、例えば、コンテンツのタイトル、録画日時、および録画時間、等に関するデータである。
【００３１】
なお、コンテンツ記憶部２０およびコンテンツ情報記憶部２２の各々は、例えば、レコーダ４に内蔵されたハードディスクドライブ（図示せず）等で構成されてもよい。
【００３２】
再生部２４は、録画部１６によりコンテンツ記憶部２０に録画されたコンテンツを再生する。具体的には、再生部２４は、コンテンツ記憶部２０からコンテンツを読み出して再生し、再生したコンテンツをテレビジョン受像機１２に出力する。
【００３３】
コンテンツ配信部２６は、コンテンツ記憶部２０に記憶されているコンテンツを、インターネット１０を介してスマートフォン８に配信する。
【００３４】
コンテンツ情報配信部２８は、コンテンツ情報記憶部２２に記憶されているコンテンツ情報を、インターネット１０を介してサーバ６に配信する。
【００３５】
［１−３．サーバの機能構成］
次に、図３および図４を参照しながら、サーバ６の機能に関する構成（機能構成）について説明する。
【００３６】
図３は、実施の形態１におけるサーバ６の機能構成の一例を模式的に示すブロック図である。
【００３７】
図４は、実施の形態１におけるサーバ６で管理されるブックマークリストの一例を模式的に示す図である。
【００３８】
図３に示すように、サーバ６は、リスト記憶部３０、リスト配信部３２、および管理部３４、を有する。
【００３９】
リスト記憶部３０は、ブックマークリストおよび再生履歴リストを記憶する。ブックマークリストは、ブックマークリストに登録するためのユーザ操作が実行されたコンテンツに関するコンテンツ情報の一覧を示すデータである。このデータは、例えばテーブル形式のデータである。すなわち、ブックマークリストは、ブックマークリストに登録されたコンテンツ毎に、コンテンツ情報を有する。なお、コンテンツをブックマークリストに登録するユーザ操作については、後述する。なお、本実施の形態では、「コンテンツをブックマークリストに登録する」とは、当該コンテンツに関するコンテンツ情報をコンテンツリストに追加することと同義である。
【００４０】
図４に示すように、ブックマークリストに含まれるコンテンツ情報は、例えば、コンテンツのタイトル、ＵＲＬ（Ｕｎｉｆｏｒｍ  Ｒｅｓｏｕｒｃｅ  Ｌｏｃａｔｏｒ）、録画時間、および再生位置、等に関するデータである。
【００４１】
タイトルは、例えば「番組Ａ」等の放送番組名である。
【００４２】
ＵＲＬは、コンテンツを識別するための識別子である。ＵＲＬは、例えば「ｈｔｔｐ：／／Ａ」等のように、インターネット１０上におけるコンテンツの位置を示すデータである。なお、ＵＲＬに代えて、例えばコンテンツ毎に割り当てられた放送用のイベントＩＤ等が用いられてもよい。
【００４３】
録画時間は、例えば「１：３０：００（１時間３０分００秒）」等のように、コンテンツの先頭から終端までの全再生時間である。
【００４４】
再生位置は、コンテンツの先頭から終端までのうち、前回のコンテンツ再生時にコンテンツの再生が停止された位置（例えば、「０：１０：００（０時間１０分００秒）」）を示すデータ（以下、「再生位置情報」ともいう）である。なお、コンテンツがブックマークリストに登録されるまでの間に一回も再生されていない場合には、当該コンテンツの再生位置は、「０：００：００（０時間００分００秒）」となる。
【００４５】
なお、ブックマークリストに含まれるコンテンツ情報は、上述したコンテンツのタイトル、ＵＲＬ、録画時間、および再生位置、の他に、録画日時、およびコンテンツ詳細情報、等を含んでいてもよい。
【００４６】
再生履歴リスト（図示せず）は、再生が終了したコンテンツに関するコンテンツ情報の一覧を示すデータである。なお、「再生が終了したコンテンツ」とは、当該コンテンツの終端まで再生されたコンテンツのことである。再生履歴リストに含まれるコンテンツ情報は、例えば、コンテンツのタイトル、ＵＲＬ、録画日時、録画時間、および再生終了日時、等に関するデータである。
【００４７】
リスト配信部３２は、リスト記憶部３０に記憶されているブックマークリストおよび再生履歴リストを、インターネット１０を介してスマートフォン８に配信する。
【００４８】
管理部３４は、インターネット１０を介して、レコーダ４およびスマートフォン８と通信することにより、リスト記憶部３０に記憶されているブックマークリストおよび再生履歴リストを管理する。この管理については後述する。
【００４９】
［１−４．スマートフォンの機能構成］
次に、図５〜図７を参照しながら、スマートフォン８の機能構成について説明する。
【００５０】
図５は、実施の形態１におけるスマートフォン８の機能構成の一例を模式的に示すブロック図である。
【００５１】
図６は、実施の形態１におけるスマートフォン８に表示されるブックマーク一覧画面４６の一例を示す図である。
【００５２】
図７は、実施の形態１におけるスマートフォン８に表示される再生画面５２の一例を示す図である。
【００５３】
図５に示すように、スマートフォン８は、表示部１３、受付部３６、取得部３８、表示制御部４０、および再生制御部４２、を有する。
【００５４】
受付部３６は、タッチパネルを備えた表示部１３上におけるユーザの指４４（図７参照）によるユーザ操作（例えば、タップ操作およびスワイプ操作、等）を受け付ける。
【００５５】
取得部３８は、サーバ６からインターネット１０を介して配信されたブックマークリストおよび再生履歴リストを取得する。
【００５６】
表示制御部４０は、表示部１３の表示内容を制御する。具体的には、表示制御部４０は、取得部３８により取得されたブックマークリストに基づいて、ブックマーク一覧画面４６を表示部１３に表示させる。図６に一例を示すように、ブックマーク一覧画面４６は、ブックマークリストに含まれるコンテンツ情報の一覧が表示された画面である。ブックマーク一覧画面４６には、コンテンツ毎に、ブックマークリストに登録されたコンテンツのタイトル、録画日時、および録画時間、等が表示される。
【００５７】
また、表示制御部４０は、取得部３８により取得された再生履歴リストに基づいて、再生履歴一覧画面（図示せず）を表示部１３に表示させる。再生履歴一覧画面は、再生が終了したコンテンツに関するコンテンツ情報の一覧を示す画面である。再生履歴一覧画面には、コンテンツ毎に、ブックマークリストに登録されたコンテンツのタイトル、録画日時、録画時間、および再生終了日時、等が表示される。
【００５８】
例えば、ユーザが、図６に示すようにブックマーク一覧画面４６の上端部に配置されたタブ４８（ブックマーク一覧）またはタブ５０（再生履歴一覧）を指４４でタップするユーザ操作を行ったとする。そのユーザ操作が受付部３６で受け付けられると、そのユーザ操作に基づく指示信号が受付部３６から表示制御部４０に送られる。以下、指示信号のことを単に「指示」とも記す。表示制御部４０は、その指示に基づき表示部１３を制御する。これにより、表示部１３の表示画面は、ブックマーク一覧画面４６または再生履歴一覧画面（図示せず）に切り替えられる。
【００５９】
また、表示制御部４０は、表示部１３に表示されるＧＵＩ（Ｇｒａｐｈｉｃａｌ  Ｕｓｅｒ  Ｉｎｔｅｒｆａｃｅ）を制御する。例えば、図７に示すように、コンテンツを再生するための再生画面５２が表示部１３に表示されている状態で、ユーザが再生画面５２を指４４で所定時間（例えば、１．５秒）継続してタッチ（いわゆる、長押し）するユーザ操作を行ったとする。そのユーザ操作が受付部３６で受け付けられると、そのユーザ操作に基づく指示が受付部３６から表示制御部４０に送られて、表示制御部４０はその指示に基づき表示部１３を制御し、アイコン５４を再生画面５２上に重畳して表示させる。このとき、表示制御部４０は、さらに、再生画面５２の上端部にメニュー５６（「テレビで再生」）を表示させるとともに、再生画面５２の下端部にメニュー５８（「ブックマークリストに追加する」）を表示させる。なお、メニュー５６は、再生中のコンテンツをテレビジョン受像機１２で再生するためのメニューである。メニュー５８は、再生中のコンテンツをブックマークリストに登録するためのメニューである。再生画面５２については後述する。
【００６０】
さらに、ユーザが再生画面５２を指４４で所定時間継続してタッチした状態から、表示部１３上で指４４を所定方向（メニュー５６に向かう方向またはメニュー５８に向かう方向）にスワイプするユーザ操作を行ったとする。そのユーザ操作が受付部３６で受け付けられると、そのユーザ操作に基づく指示が受付部３６から表示制御部４０に送られて、表示制御部４０はその指示に基づき表示部１３を制御し、アイコン５４をそのスワイプ方向に移動させる。
【００６１】
再生制御部４２は、レコーダ４からインターネット１０を介して配信されたコンテンツの再生を制御する。再生制御部４２は、コンテンツを再生する際には、図７に示すように、再生画面５２を表示部１３に表示させる。再生画面５２の中央部には、再生されたコンテンツが表示される表示領域６０が配置される。表示領域６０の下方には、再生ボタン６２および停止ボタン６４等の各種ボタンが配置される。
【００６２】
例えば、ユーザが再生ボタン６２を指４４でタップするユーザ操作を行ったとする。そのユーザ操作、すなわちコンテンツを再生するユーザ操作、が受付部３６で受け付けられると、そのユーザ操作に基づく指示が受付部３６から再生制御部４２に送られ、再生制御部４２はその指示に基づきコンテンツの再生を開始する。そして、再生されたコンテンツは表示領域６０に表示される。
【００６３】
また、ユーザが停止ボタン６４を指４４でタップするユーザ操作を行ったとする。そのユーザ操作、すなわちコンテンツの再生を停止するユーザ操作、が受付部３６で受け付けられると、そのユーザ操作に基づく指示が受付部３６から再生制御部４２に送られ、再生制御部４２はその指示に基づきコンテンツの再生を停止する。
【００６４】
［１−５．コンテンツ再生システムの動作］
次に、図８を参照しながら、コンテンツ再生システム２の動作について説明する。
【００６５】
図８は、実施の形態１におけるコンテンツ再生システム２の動作の流れの一例を示すシーケンス図である。
【００６６】
ユーザが、スマートフォン８の表示部１３に表示された電子番組表（図示せず）から所望のコンテンツを選択するユーザ操作を行ったとする。そのユーザ操作がスマートフォン８の受付部３６で受け付けられると、そのユーザ操作に基づく指示が受付部３６からスマートフォン８の取得部３８に送られ、当該コンテンツの録画予約を指示するための指示がスマートフォン８からレコーダ４へ送信される（ステップＳ１）。
【００６７】
レコーダ４の録画予約部１８では、この指示に基づいてＥＰＧ録画予約が設定される（ステップＳ２）。
【００６８】
レコーダ４の録画部１６は、レコーダ４の録画予約部１８に設定されたＥＰＧ録画予約に基づいて、そのコンテンツを録画する（ステップＳ３）。
【００６９】
録画の対象となるコンテンツは、コンテンツ記憶部２０に記憶される（ステップＳ４）。
【００７０】
コンテンツ情報記憶部２２には、コンテンツ記憶部２０に記憶されたコンテンツに関するコンテンツ情報が記憶される（ステップＳ５）。
【００７１】
サーバ６の管理部３４は、録画されたコンテンツに関するコンテンツ情報の配信をレコーダ４に要求する要求信号を、レコーダ４に送信する（ステップＳ６）。以下、要求信号のことを単に「要求」と記す。サーバ６からレコーダ４へのこの要求は、定期的に行われてもよい。
【００７２】
この要求を受けたレコーダ４では、レコーダ４のコンテンツ情報配信部２８が、該当するコンテンツに関するコンテンツ情報をコンテンツ情報記憶部２２から読み出し、読み出したコンテンツ情報をサーバ６に配信する（ステップＳ７）。
【００７３】
なお、レコーダ４に録画されたコンテンツは、スマートフォン８の表示部１３に表示された録画一覧画面６６から再生することができる。
【００７４】
録画一覧画面６６は、録画されたコンテンツに関するコンテンツ情報の一覧を示す画面である（図９の（ａ）参照）。録画一覧画面６６には、コンテンツ毎に、録画されたコンテンツのタイトル、録画日時、および録画時間、等が表示される。ユーザが、例えば「番組Ｂ」のコンテンツを再生するために、「番組Ｂ」のコンテンツの表示６８上で指４４をタップするユーザ操作を行ったとする（図９の（ａ）参照）。そのユーザ操作がスマートフォン８の受付部３６で受け付けられると、そのユーザ操作に基づく指示が受付部３６からスマートフォン８の再生制御部４２に送られる。これにより、図７に示すように再生画面５２が表示部１３に表示される。次に、ユーザが再生ボタン６２を指４４でタップするユーザ操作を行ったとする。そのユーザ操作がスマートフォン８の受付部３６で受け付けられると、そのユーザ操作に基づく指示が受付部３６からスマートフォン８の再生制御部４２に送られる。これにより、表示領域６０に「番組Ｂ」のコンテンツが再生される。
【００７５】
次に、ユーザがスマートフォン８上で、所望のコンテンツをブックマークリストに登録するユーザ操作を行ったとする。そのユーザ操作がスマートフォン８の受付部３６で受け付けられると、そのユーザ操作に基づく指示が受付部３６からスマートフォン８の取得部３８に送られる。これにより、そのコンテンツをブックマークリストに登録する要求がスマートフォン８からサーバ６に送信される（ステップＳ８）。
【００７６】
この要求を受けたサーバ６では、サーバ６の管理部３４が、レコーダ４から配信された当該コンテンツのコンテンツ情報を、ブックマークリストに追加する（ステップＳ９）。なお、コンテンツをブックマークリストに登録する手順については後述する。
【００７７】
その後、ユーザが、ブックマークリストに登録されたコンテンツを視聴するために、スマートフォン８上でブックマーク一覧画面４６（図６参照）を表示するユーザ操作を行ったとする。そのユーザ操作がスマートフォン８の受付部３６で受け付けられると、ブックマーク一覧画面４６（図６参照）を表示するためのアプリケーション（ソフトウエア）がスマートフォン８で起動する。また、そのユーザ操作に基づく指示が受付部３６からスマートフォン８の取得部３８に送られて、ブックマークリストの配信要求が取得部３８からサーバ６へ送信される（ステップＳ１０）。
【００７８】
この要求を受けたサーバ６は、サーバ６のリスト配信部３２から、ブックマークリストをスマートフォン８に配信する（ステップＳ１１）。
【００７９】
スマートフォン８の取得部３８がこのブックマークリストを取得することにより、スマートフォン８の表示制御部４０は、このブックマークリストに基づいて、ブックマーク一覧画面４６を表示部１３に表示させる（ステップＳ１２）。
【００８０】
ユーザが、例えばブックマークリストに登録された「番組Ｂ」のコンテンツを再生するために、ブックマーク一覧画面４６において「番組Ｂ」のコンテンツの表示７０（図６参照）を指４４でタップするユーザ操作を行ったとする。そのユーザ操作がスマートフォン８の受付部３６で受け付けられると、そのユーザ操作に基づく指示が受付部３６からスマートフォン８の再生制御部４２に送られる。これにより、再生画面５２（図７参照）が表示部１３に表示される。次に、ユーザが再生ボタン６２を指４４でタップするユーザ操作を行ったとする。そのユーザ操作がスマートフォン８の受付部３６で受け付けられると、そのユーザ操作に基づく指示が受付部３６からスマートフォン８の再生制御部４２に送られる。これにより、「番組Ｂ」のコンテンツの配信要求が、スマートフォン８からレコーダ４に送信される。この要求を受けたレコーダ４は、レコーダ４のコンテンツ配信部２６からスマートフォン８に、「番組Ｂ」のコンテンツを配信する（ステップＳ１３）。
【００８１】
こうして、スマートフォン８では、「番組Ｂ」のコンテンツを受信しながら当該コンテンツの再生（いわゆる、ストリーミング再生）が開始される（ステップＳ１４）。
【００８２】
ユーザがコンテンツの終端よりも前に停止ボタン６４を指４４でタップするユーザ操作を行ったとする。そのユーザ操作がスマートフォン８の受付部３６で受け付けられると、そのユーザ操作に基づく指示が受付部３６からスマートフォン８の再生制御部４２に送られて、コンテンツの再生が停止される（ステップＳ１５）。
【００８３】
このとき、スマートフォン８は、再生制御部４２からサーバ６の管理部３４に、再生位置更新情報を通知する（ステップＳ１６）。
【００８４】
この再生位置更新情報は、更新されたコンテンツの再生位置を示すデータである。例えば、再生を開始した時点でのコンテンツの再生位置が「０時間１０分００秒」であり、再生を停止した時点でのコンテンツの再生位置が「０時間２０分００秒」である場合には、更新されたコンテンツの再生位置は「０時間２０分００秒」となる。
【００８５】
サーバ６の管理部３４は、スマートフォン８から再生位置更新情報が通知されると、その再生位置更新情報に基づいて、ブックマークリストに含まれる再生位置情報を更新する（ステップＳ１７）。
【００８６】
その後、ユーザが、例えばブックマークリストに登録された「番組Ｂ」のコンテンツを再度再生するために、上述と同様に、再生画面５２の再生ボタン６２を指４４でタップするユーザ操作を行ったとする。そのユーザ操作がスマートフォン８の受付部３６で受け付けられると、そのユーザ操作に基づく指示が受付部３６からスマートフォン８の再生制御部４２に送られる。これにより、「番組Ｂ」のコンテンツの配信要求がスマートフォン８からレコーダ４に送信される。この要求を受けたレコーダ４は、ブックマークリストに登録された「番組Ｂ」の再生位置情報を参照し、レコーダ４のコンテンツ配信部２６からスマートフォン８に、「番組Ｂ」のコンテンツを、更新された再生位置から配信する（ステップＳ１８）。
【００８７】
これにより、スマートフォン８上では、「番組Ｂ」のコンテンツが、更新された再生位置（例えば「０時間２０分００秒」）から開始される（Ｓ１９）。すなわち、「番組Ｂ」のコンテンツは、いわゆるレジューム再生される。
【００８８】
「番組Ｂ」のコンテンツがコンテンツの終端まで再生されると、コンテンツの再生が終了する（ステップＳ２０）。
【００８９】
このとき、スマートフォン８の再生制御部４２は、コンテンツの再生が終了したことをサーバ６の管理部３４に通知する（ステップＳ２１）。
【００９０】
これにより、サーバ６の管理部３４は、コンテンツの再生が終了したと判定し、「番組Ｂ」のコンテンツに関するコンテンツ情報をブックマークリストから削除する（ステップＳ２２）。
【００９１】
このとき、スマートフォン８の表示制御部４０は、ブックマーク一覧画面４６から「番組Ｂ」のコンテンツの表示７０（図６参照）を削除する。
【００９２】
さらに、サーバ６の管理部３４は、「番組Ｂ」のコンテンツに関するコンテンツ情報を表示履歴リストに追加する。このとき、スマートフォン８の表示制御部４０は、再生履歴一覧画面（図示せず）に「番組Ｂ」のコンテンツの表示を追加する。
【００９３】
なお、本実施の形態では、サーバ６の管理部３４は、コンテンツがコンテンツの終端まで再生された場合に、コンテンツの再生が終了した、と判定する動作例を説明したが、本開示は何らこれに限定されない。例えば、サーバ６の管理部３４は、スマートフォン８の受付部３６がコンテンツの再生を停止するユーザ操作を受け付けた時点で、コンテンツの残り再生時間が所定時間（例えば、３分）以下であり、かつ、コンテンツの録画時間（全再生時間）に対する残り再生時間の割合が所定値（例えば、１０％）以下である場合に、コンテンツの再生が終了した、と判定してもよい。なお、上記の所定値の値は、コンテンツを放送した放送局の種類（例えば、国営放送局または民間放送局）に応じて変動させてもよい。
【００９４】
［１−６．ブックマークの登録手順］
次に、図７および図９〜図１１を参照しながら、コンテンツをブックマークリストに登録する手順について説明する。
【００９５】
図９〜図１１のそれぞれは、実施の形態１においてコンテンツをブックマークリストに登録する手順の一例を模式的に示す図である。
【００９６】
［１−６−１．コンテンツを録画一覧画面からブックマークリストに登録する場合１］
まず、図９に示す手順（以下、「手順Ａ」ともいう）について説明する。以下、一例として、ユーザが「番組Ｂ」のコンテンツをブックマークリストに登録する場合について説明する。
【００９７】
図９の（ａ）に示すように、録画一覧画面６６が表示部１３に表示されている状態で、ユーザが、「番組Ｂ」のコンテンツの表示６８上に指４４を所定時間継続してタッチしたとする。そのユーザ操作が受付部３６で受け付けられると、そのユーザ操作に基づく指示が受付部３６から表示制御部４０に送られる。手順Ａでは、これにより、図９の（ｂ）に示すように、アイコン５４が録画一覧画面６６上に重畳して表示されるとともに、録画一覧画面６６の上端部にメニュー５６が表示され、下端部にメニュー５８が表示される。
【００９８】
その後、図９の（ｃ）に示すように、ユーザが表示部１３上で指４４をメニュー５８（「ブックマークリストに追加する」）に向けてスワイプするユーザ操作を行ったとする。そのユーザ操作が受付部３６で受け付けられると、そのユーザ操作に基づく指示が受付部３６から表示制御部４０および取得部３８に送られる。これにより、表示部１３上で、アイコン５４はメニュー５８に向かう方向に移動する。また、「番組Ｂ」のコンテンツをブックマークリストに登録する要求がスマートフォン８からサーバ６に送信される。
【００９９】
スマートフォン８の受付部３６は、上述したようなユーザの指４４によるタッチ操作（長押し操作）およびスワイプ操作を検出することにより、「番組Ｂ」のコンテンツをブックマークリストに登録するユーザ操作（すなわち、コンテンツを選択するユーザ操作）を受け付ける。これにより、上述した図８のステップＳ８が実行される。その後、図９の（ｄ）に示すように、録画一覧画面６６の中央部には、「番組Ｂ」のコンテンツがブックマークリストに登録されたことを示すダイアログボックス７２が表示される。このことは、すなわち、「番組Ｂ」のコンテンツに関するコンテンツ情報がブックマークリストに追加されたことを表す。
【０１００】
なお、図９の（ｂ）に示す状態で、ユーザが表示部１３上で指４４をメニュー５６（「テレビで再生」）に向けてスワイプするユーザ操作を行ったとする。そのユーザ操作が受付部３６で受け付けられると、そのユーザ操作に基づく指示が受付部３６から表示制御部４０および再生制御部４２に送られる。その場合には、表示部１３上で、アイコン５４はメニュー５６に向かう方向に移動する。また、再生制御部４２から、レコーダ４に、「番組Ｂ」のコンテンツをテレビジョン受像機１２で再生する指示が送信される。これにより、「番組Ｂ」のコンテンツは、テレビジョン受像機１２で再生される。このとき、テレビジョン受像機１２の電源が待機状態である場合には、ユーザが表示部１３上で指４４をメニュー５６に向けてスワイプするユーザ操作を行うことにより、テレビジョン受像機１２の電源が自動的にオンし、その後に「番組Ｂ」のコンテンツがテレビジョン受像機１２で再生されてもよい。
【０１０１】
なお、ブックマーク一覧画面４６で、ブックマークの登録を解除するためのボタン（図示せず）を有するサブメニュー（図示せず）が表示されてもよい。ユーザがこのボタンを指４４でタップするユーザ操作を行うことにより、ブックマークリストから任意のコンテンツに関するコンテンツ情報が削除されるようにスマートフォン８が動作してもよい。
【０１０２】
［１−６−２．コンテンツを録画一覧画面からブックマークリストに登録する場合２］
次に、図１０に示す手順（以下、「手順Ｂ」ともいう）について説明する。以下、一例として、ユーザが「番組Ｂ」のコンテンツをブックマークリストに登録する場合について説明する。
【０１０３】
録画一覧画面６６が表示部１３に表示されている状態で、ユーザが、例えば「番組Ｂ」のコンテンツを選択した後に、録画一覧画面６６上に表示されたオーバーフローボタン（図示せず）を指４４でタップするユーザ操作を行ったとする。そのユーザ操作が受付部３６で受け付けられると、そのユーザ操作に基づく指示が受付部３６から表示制御部４０に送られる。手順Ｂでは、これにより、図１０に示すように、サブメニュー７４が録画一覧画面６６上に重畳して表示される。
【０１０４】
このサブメニュー７４には、コンテンツをブックマークリストに登録するためのボタン７６等が含まれている。ユーザがこのボタン７６を指４４でタップするユーザ操作を行うと、そのユーザ操作が受付部３６で受け付けられる。こうして、スマートフォン８の受付部３６は、「番組Ｂ」のコンテンツをブックマークリストに登録するユーザ操作を受け付ける。これにより、そのユーザ操作に基づく指示が受付部３６から取得部３８に送られて、上述した図８のステップＳ８が実行される。
【０１０５】
［１−６−３．コンテンツを再生画面からブックマークリストに登録する場合］
次に、図７に示す手順（以下、「手順Ｃ」ともいう）について説明する。以下、一例として、ユーザが「番組Ｂ」のコンテンツをブックマークリストに登録する場合について説明する。
【０１０６】
録画一覧画面６６から遷移した再生画面５２で、例えば「番組Ｂ」のコンテンツが再生されている状態で、ユーザが、再生画面５２上を指４４で所定時間継続してタッチしたとする。そのユーザ操作が受付部３６で受け付けられると、そのユーザ操作に基づく指示が受付部３６から表示制御部４０に送られる。手順Ｃでは、これにより、図７に示すように、上述した手順Ａと同様に、アイコン５４が再生画面５２上に重畳して表示されるとともに、再生画面５２の上端部にメニュー５６が表示され、下端部にメニュー５８が表示される。
【０１０７】
その後、上述した手順Ａと同様に、ユーザが表示部１３上で指４４をメニュー５８（ブックマークリストに追加する）に向けてスワイプするユーザ操作を行ったとする。そのユーザ操作が受付部３６で受け付けられると、そのユーザ操作に基づく指示が受付部３６から表示制御部４０および取得部３８に送られる。これにより、表示部１３上で、アイコン５４はメニュー５８に向かう方向に移動する。また、「番組Ｂ」のコンテンツをブックマークリストに登録する要求がスマートフォン８からサーバ６に送信される。
【０１０８】
手順Ｃでは、このようにして、スマートフォン８の受付部３６が、「番組Ｂ」のコンテンツをブックマークリストに登録するユーザ操作を受け付け、上述した図８のステップＳ８が実行される。その後、再生画面５２の中央部には、「番組Ｂ」のコンテンツがブックマークリストに登録されたことを示すダイアログボックス（図示せず）が表示される。
【０１０９】
この手順Ｃでは、「番組Ｂ」のコンテンツがブックマークリストに登録された時点での再生位置が、ブックマークリストに再生位置情報として記憶される。なお、この構成に代えて、ブックマークリストに登録した後に「番組Ｂ」のコンテンツの再生を停止した時点での再生位置が、ブックマークリストに再生位置情報として記憶されてもよい。
【０１１０】
［１−６−４．コンテンツを録画予約画面からブックマークリストに登録する場合］
次に、図１１に示す手順（以下、「手順Ｄ」ともいう）について説明する。以下、一例として、ユーザが「番組Ｂ」のコンテンツをブックマークリストに登録する場合について説明する。
【０１１１】
コンテンツの録画予約を行うための録画予約画面７８がスマートフォン８の表示部１３に表示されている状態で、ユーザが、電子番組表（図示せず）から「番組Ｂ」のコンテンツを選択するユーザ操作を行ったとする。そのユーザ操作が受付部３６で受け付けられると、そのユーザ操作に基づく指示が受付部３６から表示制御部４０に送られる。手順Ｄでは、これにより、図１１に示すように、録画予約画面７８に、「番組Ｂ」のコンテンツの表示８０が表示される。
【０１１２】
その後、ユーザにより、録画予約画面７８上のチェックボックス８２を指４４でタップするユーザ操作が行われ、そのユーザ操作が受付部３６で受け付けられると、そのユーザ操作に基づく指示が受付部３６から表示制御部４０に送られる。これにより、録画予約画面７８上でチェックボックス８２にチェックが入る。この状態で、ユーザが、録画予約画面７８上の予約ボタン８４を指４４でタップするユーザ操作を行い、そのユーザ操作が受付部３６で受け付けられると、そのユーザ操作に基づく指示が受付部３６から取得部３８に送られる。これにより、「番組Ｂ」のコンテンツを録画予約する指示がスマートフォン８からレコーダ４に送信される。
【０１１３】
手順Ｄでは、スマートフォン８の受付部３６は、このようにして、「番組Ｂ」のコンテンツをブックマークリストに登録するためのユーザ操作を受け付ける。
【０１１４】
その後、レコーダ４において「番組Ｂ」のコンテンツの録画が完了すると、「番組Ｂ」のコンテンツの録画が完了したことを示す信号がレコーダ４からサーバ６に送信される。これにより、サーバ６の管理部３４は、「番組Ｂ」のコンテンツに関するコンテンツ情報をブックマークリストに追加する。こうして、上述した図８のステップＳ８が実行される。
【０１１５】
［１−７．ブックマークリストの管理方法］
次に、図１２を参照しながら、管理部３４によるブックマークリストの管理方法について説明する。
【０１１６】
図１２は、実施の形態１における管理部３４によるブックマークリストの管理方法の一例を模式的に示す図である。
【０１１７】
図１２の（ａ）に示すように、ユーザがコンテンツをブックマークリストに登録していない状態では、ブックマークリストにはコンテンツ情報は登録されていない。
【０１１８】
その後、図１２の（ｂ）に示すように、上述した手順Ａまたは手順Ｂにより、ユーザが、録画一覧画面６６から、例えば「番組Ａ」のコンテンツをブックマークリストに登録するユーザ操作をスマートフォン８で行ったとする。これにより、「番組Ａ」のコンテンツに関するコンテンツ情報がブックマークリストに追加される。なお、この「番組Ａ」のコンテンツは、ブックマークリストに登録されるまでの間に一回も再生されていないものとする。その場合、「番組Ａ」のコンテンツの再生位置は、「０：００：００（０時間００分００秒）」である。
【０１１９】
その後、図１２の（ｃ）に示すように、上述した手順Ｃにより、ユーザが、再生画面５２から、例えば「番組Ｂ」のコンテンツをブックマークリストに登録するユーザ操作をスマートフォン８で行ったとする。これにより、「番組Ｂ」のコンテンツに関するコンテンツ情報がブックマークリストに追加される。なお、この「番組Ｂ」のコンテンツは、再生を開始してから例えば１２分が経過した時点でブックマークリストに登録されたものとする。その場合、「番組Ｂ」のコンテンツの再生位置は、「０：１２：００（０時間１２分００秒）」である。
【０１２０】
その後、図１２の（ｄ）に示すように、上述した手順Ｄにより、ユーザが、録画予約画面７８から、例えば「番組Ｃ」のコンテンツをブックマークリストに登録するユーザ操作をスマートフォン８で行ったとする。これにより、「番組Ｃ」のコンテンツに関するコンテンツ情報がブックマークリストに追加される。なお、この「番組Ｃ」のコンテンツは、ブックマークリストに登録されるまでの間に一回も再生されていないものとする。その場合、「番組Ｃ」のコンテンツの再生位置は、「０：００：００（０時間００分００秒）」である。
【０１２１】
その後、図１２の（ｅ）に示すように、ユーザが、例えば「番組Ａ」のコンテンツを再生するユーザ操作をスマートフォン８で行ったとする。その場合には、「番組Ａ」のコンテンツの再生が、そのコンテンツの先頭（０時間００分００秒）から開始される。その後、ユーザが、そのコンテンツの再生が開始されてから例えば１０分が経過した時点で、そのコンテンツの再生を停止するユーザ操作をスマートフォン８で行ったとする。その場合には、「番組Ａ」のコンテンツの再生位置は、「０：１０：００（０時間１０分００秒）」に更新される。
【０１２２】
その後、図１２の（ｆ）に示すように、ユーザが、「番組Ｂ」のコンテンツを再生するユーザ操作をスマートフォン８で行ったとする。その場合には、「番組Ｂ」のコンテンツの再生が、そのコンテンツの「０：１２：００（０時間１２分００秒）」の再生位置から開始される。その後、そのコンテンツが終端（０時間３０分００秒）まで再生されたとする。その場合には、「番組Ｂ」のコンテンツに関するコンテンツ情報は、ブックマークリストから削除される。
【０１２３】
［１−８．効果等］
上述したように、本実施の形態において、コンテンツ再生システムは、サーバと、コンテンツを再生するための端末装置と、を備える。サーバは、リスト記憶部と、管理部と、を有する。リスト記憶部は、ブックマークリストを記憶する。ブックマークリストは、コンテンツの再生位置を示す再生位置情報を含むコンテンツ情報を有する。管理部は、ブックマークリストを管理する。端末装置は、表示部と、ユーザの操作を受け付ける受付部と、サーバからブックマークリストを取得する取得部と、表示制御部と、再生制御部と、を有する。表示制御部は、ブックマークリストに含まれるコンテンツ情報の一覧を示すブックマーク一覧画面を表示部に表示させる。再生制御部は、コンテンツを再生するユーザ操作を受付部が受け付けた際には、再生位置情報が示す再生位置からコンテンツの再生を開始する。また、再生制御部は、コンテンツの再生を停止するユーザ操作を受付部が受け付けた際には、コンテンツの再生を停止し、かつ、更新されたコンテンツの再生位置を示す再生位置更新情報を管理部に通知する。そして、サーバの管理部は、端末装置の再生制御部から再生位置更新情報が通知された際には、その再生位置更新情報に基づいて、ブックマークリストに含まれる再生位置情報を更新する。
【０１２４】
なお、コンテンツ再生システム２はコンテンツ再生システムの一例である。サーバ６はサーバの一例である。スマートフォン８は端末装置の一例である。リスト記憶部３０はリスト記憶部の一例である。管理部３４は管理部の一例である。表示部１３は表示部の一例である。受付部３６は受付部の一例である。取得部３８は取得部の一例である。表示制御部４０は表示制御部の一例である。再生制御部４２は再生制御部の一例である。ブックマーク一覧画面４６はブックマーク一覧画面の一例である。
【０１２５】
例えば、実施の形態１に示したコンテンツ再生システム２の構成例では、コンテンツ再生システム２は、サーバ６と、コンテンツを再生するためのスマートフォン８と、を備える。サーバ６は、リスト記憶部３０と、管理部３４と、を有する。リスト記憶部３０は、コンテンツの再生位置を示す再生位置情報を含むコンテンツ情報を有するブックマークリストを記憶する。管理部３４は、ブックマークリストを管理する。スマートフォン８は、表示部１３と、ユーザの操作を受け付ける受付部３６と、サーバ６からブックマークリストを取得する取得部３８と、表示制御部４０と、再生制御部４２と、を有する。表示制御部４０は、ブックマークリストに含まれるコンテンツ情報の一覧を示すブックマーク一覧画面４６を表示部１３に表示させる。再生制御部４２は、コンテンツを再生するユーザ操作を受付部３６が受け付けた際には、再生位置情報が示す再生位置からコンテンツの再生を開始する。また、再生制御部４２は、コンテンツの再生を停止するユーザ操作を受付部３６が受け付けた際には、コンテンツの再生を停止し、かつ、更新されたコンテンツの再生位置を示す再生位置更新情報を管理部３４に通知する。サーバ６の管理部３４は、スマートフォン８の再生制御部４２から再生位置更新情報が通知された際には、その再生位置更新情報に基づいて、ブックマークリストに含まれる再生位置情報を更新する。
【０１２６】
また、コンテンツ再生システムにおいて、サーバの管理部は、コンテンツの再生が終了したと判定した際には、当該コンテンツに関するコンテンツ情報をブックマークリストから削除してもよい。
【０１２７】
例えば、実施の形態１に示したコンテンツ再生システム２の構成例では、サーバ６の管理部３４は、コンテンツの再生が終了したと判定した際には、当該コンテンツに関するコンテンツ情報をブックマークリストから削除する。
【０１２８】
また、本実施の形態において、コンテンツ再生方法は、サーバと、コンテンツを再生するための端末装置と、を備えるコンテンツ再生システムにおけるコンテンツ再生方法である。このコンテンツ再生方法は、コンテンツの再生位置を示す再生位置情報を含むコンテンツ情報を有するブックマークリストがサーバのリスト記憶部に記憶されるステップと、ブックマークリストがサーバから端末装置に配信されるステップと、ブックマークリストに含まれるコンテンツ情報の一覧を示すブックマーク一覧画面が端末装置の表示部に表示されるステップと、コンテンツを再生するユーザ操作が端末装置の受付部で受け付けられた際に、再生位置情報が示す再生位置からコンテンツの再生が開始されるステップと、コンテンツの再生を停止するユーザ操作が受付部で受け付けられた際に、コンテンツの再生が停止され、かつ、更新されたコンテンツの再生位置を示す再生位置更新情報が端末装置からサーバに通知されるステップと、端末装置からサーバに再生位置更新情報が通知された際に、その再生位置更新情報に基づいて、ブックマークリストに含まれる再生位置情報が更新されるステップと、コンテンツの再生が終了したと判定された際に、コンテンツに関するコンテンツ情報がブックマークリストから削除されるステップと、を含む。
【０１２９】
例えば、実施の形態１に例示したコンテンツ再生方法は、サーバ６と、コンテンツを再生するためのスマートフォン８と、を備えるコンテンツ再生システム２におけるコンテンツ再生方法である。そのコンテンツ再生方法は、コンテンツの再生位置を示す再生位置情報を含むコンテンツ情報を有するブックマークリストがサーバ６のリスト記憶部３０に記憶されるステップと、ブックマークリストがサーバ６からスマートフォン８に配信されるステップと、ブックマークリストに含まれるコンテンツ情報の一覧を示すブックマーク一覧画面４６がスマートフォン８の表示部１３に表示されるステップと、コンテンツを再生するユーザ操作がスマートフォン８の受付部３６で受け付けられた際に、再生位置情報が示す再生位置からコンテンツの再生が開始されるステップと、コンテンツの再生を停止するユーザ操作が受付部３６で受け付けられた際に、コンテンツの再生が停止され、かつ、更新されたコンテンツの再生位置を示す再生位置更新情報がスマートフォン８からサーバ６に通知されるステップと、スマートフォン８からサーバ６に再生位置更新情報が通知された際に、その再生位置更新情報に基づいて、ブックマークリストに含まれる再生位置情報が更新されるステップと、コンテンツの再生が終了したと判定された際に、当該コンテンツに関するコンテンツ情報がブックマークリストから削除されるステップと、を含む。
【０１３０】
これにより、管理部３４は、コンテンツの再生が停止された際に、ブックマークリストに含まれる再生位置情報を更新することができる。したがって、ユーザは、前回の視聴で再生を停止した再生位置からコンテンツを視聴することができる。また、管理部３４は、コンテンツの再生が終了したと判定した際に、当該コンテンツに関するコンテンツ情報をブックマークリストから削除することができる。したがって、ユーザは、まだ再生が終了していないコンテンツをブックマーク一覧画面４６から容易に見つけることができる。したがって、ユーザがスマートフォン８でコンテンツを再生する際のユーザの利便性を高めることができる。
【０１３１】
コンテンツ再生システムは、コンテンツを録画するための録画装置をさらに備えてもよい。録画装置は、コンテンツをコンテンツ記憶部に録画する録画部と、録画部の指示によりコンテンツを記憶するコンテンツ記憶部と、録画されたコンテンツに関するコンテンツ情報を記憶するコンテンツ情報記憶部と、コンテンツ配信部と、コンテンツ情報配信部と、を備えてもよい。コンテンツ配信部は、コンテンツを再生するユーザ操作を端末装置の受付部が受け付けた際に、コンテンツ記憶部に記憶されたコンテンツを端末装置に配信してもよい。コンテンツ情報配信部は、コンテンツ情報記憶部に記憶されたコンテンツ情報をサーバに配信してもよい。
【０１３２】
なお、レコーダ４は録画装置の一例である。録画部１６は録画部の一例である。コンテンツ記憶部２０はコンテンツ記憶部の一例である。コンテンツ情報記憶部２２はコンテンツ情報記憶部の一例である。コンテンツ記憶部２０はコンテンツ配信部の一例である。コンテンツ情報配信部２８はコンテンツ情報配信部の一例である。
【０１３３】
例えば、実施の形態１に示したコンテンツ再生システム２の構成例では、コンテンツ再生システム２は、コンテンツを録画するためのレコーダ４をさらに備える。レコーダ４は、コンテンツをコンテンツ記憶部２０に録画する録画部１６と、録画部１６の指示によりコンテンツを記憶するコンテンツ記憶部２０と、録画されたコンテンツに関するコンテンツ情報を記憶するコンテンツ情報記憶部２２と、コンテンツ配信部２６と、コンテンツ情報配信部２８と、を有する。コンテンツ配信部２６は、コンテンツを再生するユーザ操作をスマートフォン８の受付部３６が受け付けた際に、コンテンツ記憶部２０に記憶されたコンテンツをスマートフォン８に配信する。コンテンツ情報配信部２８は、コンテンツ情報記憶部２２に記憶されたコンテンツ情報をサーバ６に配信する。
【０１３４】
これにより、コンテンツ再生システム２では、レコーダ４に録画されたコンテンツを、レコーダ４からスマートフォン８に配信することができる。
【０１３５】
コンテンツ再生システムにおいて、サーバの管理部は、コンテンツの終端までコンテンツが再生された場合に、コンテンツの再生が終了したと判定してもよい。
【０１３６】
例えば、実施の形態１に示したコンテンツ再生システム２の構成例では、サーバ６の管理部３４は、コンテンツの終端までコンテンツが再生された場合に、コンテンツの再生が終了したと判定する。
【０１３７】
これにより、サーバ６の管理部３４は、ユーザがコンテンツをコンテンツの終端まで視聴した際に、コンテンツの再生が終了したと判定することができる。
【０１３８】
コンテンツ再生システムにおいて、サーバの管理部は、コンテンツの再生を停止するユーザ操作を端末装置の受付部が受け付けた時点で、コンテンツの残り再生時間が所定時間以下であり、かつ、コンテンツの全再生時間に対する残り再生時間の割合が所定値以下である場合に、コンテンツの再生が終了したと判定してもよい。
【０１３９】
例えば、実施の形態１に示したコンテンツ再生システム２の構成例では、サーバ６の管理部３４は、コンテンツの再生を停止するユーザ操作をスマートフォン８の受付部３６が受け付けた時点で、コンテンツの残り再生時間が所定時間以下であり、かつ、コンテンツの全再生時間に対する残り再生時間の割合が所定値以下である場合に、コンテンツの再生が終了したと判定する。
【０１４０】
これにより、サーバ６の管理部３４は、ユーザがコンテンツをコンテンツの終端近傍まで視聴した際に、コンテンツの再生が終了したと判定することができる。
【０１４１】
コンテンツ再生システムにおいて、サーバのリスト記憶部は、再生が終了したコンテンツに関するコンテンツ情報を含む再生履歴リストをさらに記憶してもよい。サーバの管理部は、コンテンツの再生が終了したと判定した際には、当該コンテンツに関するコンテンツ情報をブックマークリストから削除するとともに、当該コンテンツ情報を再生履歴リストに追加してもよい。
【０１４２】
例えば、実施の形態１に示したコンテンツ再生システム２の構成例では、サーバ６のリスト記憶部３０は、再生が終了したコンテンツに関するコンテンツ情報を含む再生履歴リストをさらに記憶する。サーバ６の管理部３４は、コンテンツの再生が終了したと判定した際には、当該コンテンツに関するコンテンツ情報をブックマークリストから削除するとともに、当該コンテンツ情報を再生履歴リストに追加する。
【０１４３】
これにより、ブックマークリストからコンテンツ情報が削除された場合であっても、ユーザは、再生履歴一覧画面から当該コンテンツ情報に対応するコンテンツを再生することができる。
【０１４４】
コンテンツ再生システムにおいて、サーバの管理部は、コンテンツを選択するユーザ操作を端末装置の受付部が受け付けることにより、当該コンテンツに関するコンテンツ情報をブックマークリストに追加してもよい。
【０１４５】
例えば、実施の形態１に示したコンテンツ再生システム２の構成例では、サーバ６の管理部３４は、コンテンツを選択するユーザ操作をスマートフォン８の受付部３６が受け付けることにより、当該コンテンツに関するコンテンツ情報をブックマークリストに追加する。
【０１４６】
これにより、ユーザは、スマートフォン８を用いてコンテンツをブックマークリストに登録することができる。
【０１４７】
コンテンツ再生システムにおいて、サーバの管理部は、コンテンツが再生されている状態でコンテンツを選択するユーザ操作を端末装置の受付部が受け付けることにより、当該コンテンツに関するコンテンツ情報をブックマークリストに追加してもよい。
【０１４８】
例えば、実施の形態１に示したコンテンツ再生システム２の構成例では、サーバ６の管理部３４は、コンテンツが再生されている状態でコンテンツを選択する操作をスマートフォン８の受付部３６が受け付けることにより、当該コンテンツに関するコンテンツ情報をブックマークリストに追加する。
【０１４９】
これにより、ユーザは、コンテンツの再生中であっても、スマートフォン８を用いて当該コンテンツをブックマークリストに登録することができる。
【０１５０】
コンテンツ再生システムの端末装置において、表示部はタッチパネルを有してもよい。受付部は、表示部が指で所定時間継続してタッチされた状態から、表示部上で指が所定方向にスワイプされたことを検出した際に、コンテンツを選択するユーザ操作を受け付けてもよい。表示制御部は、表示部が指で所定時間継続してタッチされた際に、アイコンを表示部に表示させてもよい。また、表示制御部は、表示部にアイコンが表示された状態において、表示部上で指が所定方向にスワイプされた際に、アイコンを所定方向に移動させてもよい。
【０１５１】
なお、アイコン５４はアイコンの一例である。
【０１５２】
例えば、実施の形態１に示したコンテンツ再生システム２の構成例では、スマートフォン８において、表示部１３はタッチパネルを有する。受付部３６は、表示部１３が指４４で所定時間継続してタッチされた状態から、表示部１３上で指４４が所定方向にスワイプされたことを検出した際に、コンテンツを選択するユーザ操作を受け付ける。表示制御部４０は、表示部１３が指４４で所定時間継続してタッチされた際に、アイコン５４を表示部１３に表示させる。また、表示制御部４０は、表示部１３にアイコン５４が表示された状態において、表示部１３上で指４４が所定方向にスワイプされた際に、アイコン５４を所定方向に移動させる。
【０１５３】
これにより、ユーザは、比較的簡易な操作でコンテンツをブックマークリストに登録することができる。
【０１５４】
コンテンツ再生システムにおいて、端末装置の受付部は、コンテンツの録画を予約するための録画予約画面が表示部に表示されている状態で、コンテンツを選択するユーザ操作を受け付け可能であってもよい。サーバの管理部は、コンテンツの録画が完了した際に、当該コンテンツに関するコンテンツ情報をブックマークリストに追加してもよい。
【０１５５】
なお、録画予約画面７８は録画予約画面の一例である。
【０１５６】
例えば、実施の形態１に示したコンテンツ再生システム２の構成例では、スマートフォン８の受付部３６は、コンテンツの録画を予約するための録画予約画面７８が表示部１３に表示されている状態で、コンテンツを選択するユーザ操作を受け付け可能である。サーバ６の管理部３４は、コンテンツの録画が完了した際に、当該コンテンツに関するコンテンツ情報をブックマークリストに追加する。
【０１５７】
これにより、ユーザは、コンテンツの録画予約を行う際に、コンテンツをブックマークリストに登録するための操作を行うことができる。
【０１５８】
（実施の形態２）
［２−１．コンテンツ再生システムの全体構成］
次に、図１３を参照しながら、実施の形態２におけるコンテンツ再生システム２Ａの全体構成について説明する。
【０１５９】
図１３は、実施の形態２におけるコンテンツ再生システム２Ａの一構成例を模式的に示す図である。
【０１６０】
図１３に示すように、本実施の形態のコンテンツ再生システム２Ａは、レコーダ４Ａおよびスマートフォン８を備えている。コンテンツ再生システム２Ａは、実施の形態１で説明したコンテンツ再生システム２と比較して、サーバ６を備えていない。コンテンツ再生システム２Ａでは、レコーダ４Ａが、上述したサーバ６の機能を有している。
【０１６１】
なお、実施の形態２に示すスマートフォン８は、実施の形態１に示したスマートフォン８と実質的に同じ構成であるので説明を省略する。
【０１６２】
［２−２．レコーダの機能構成］
次に、図１４を参照しながら、レコーダ４Ａの機能構成について説明する。
【０１６３】
図１４は、実施の形態２におけるレコーダ４Ａの機能構成の一例を模式的に示すブロック図である。
【０１６４】
図１４に示すように、レコーダ４Ａは、実施の形態１で説明したレコーダ４が備える構成要素に加えて、さらに、リスト記憶部３０、リスト配信部３２、および管理部３４、を有する。
【０１６５】
なお、レコーダ４Ａは、実施の形態１で説明したレコーダ４が備えるコンテンツ情報配信部２８を有していない。これは、レコーダ４Ａが、上述したサーバ６の機能を有するためである。
【０１６６】
レコーダ４Ａが有するリスト記憶部３０、リスト配信部３２、および管理部３４は、実施の形態１で説明したサーバ６が有するリスト記憶部３０、リスト配信部３２、および管理部３４と、実質的に同じ機能を有する。そのため、本実施の形態では、レコーダ４Ａが有するリスト記憶部３０、リスト配信部３２、および管理部３４についての説明は省略する。
【０１６７】
［２−３．コンテンツ再生システムの動作］
次に、図１５を参照しながら、コンテンツ再生システム２Ａの動作について説明する。
【０１６８】
図１５は、実施の形態２におけるコンテンツ再生システム２Ａの動作の流れの一例を示すシーケンス図である。
【０１６９】
図１５に示すように、まず、ステップＳ３１〜Ｓ３５が実行される。なお、ステップＳ３１〜Ｓ３５の各ステップは、実施の形態１で図８を用いて説明したステップＳ１〜Ｓ５の各ステップと実施的に同じ処理であるので、説明を省略する。
【０１７０】
次に、ユーザがスマートフォン８上で、所望のコンテンツをブックマークリストに登録するユーザ操作を行ったとする。そのユーザ操作がスマートフォン８の受付部３６で受け付けられると、そのユーザ操作に基づく指示が受付部３６からスマートフォン８の取得部３８に送られる。これにより、そのコンテンツをブックマークリストに登録する要求がスマートフォン８からレコーダ４Ａに送信される（ステップＳ３６）。
【０１７１】
なお、所望のコンテンツをブックマークリストに登録するユーザ操作は、実施の形態１で説明した同操作と実質的に同じであるので、説明を省略する。
【０１７２】
この要求を受けたレコーダ４Ａでは、レコーダ４Ａの管理部３４が、当該コンテンツのコンテンツ情報を、ブックマークリストに追加する（ステップＳ３７）。
【０１７３】
その後、ユーザが、ブックマークリストに登録されたコンテンツを視聴するために、スマートフォン８上でブックマーク一覧画面４６（図６参照）を表示するユーザ操作を行ったとする。そのユーザ操作がスマートフォン８の受付部３６で受け付けられると、ブックマーク一覧画面４６（図６参照）を表示するためのアプリケーション（ソフトウエア）がスマートフォン８で起動する。また、そのユーザ操作に基づく指示が受付部３６からスマートフォン８の取得部３８に送られて、ブックマークリストの配信要求が取得部３８からレコーダ４Ａへ送信される（ステップＳ３８）。
【０１７４】
この要求を受けたレコーダ４Ａは、レコーダ４Ａのリスト配信部３２から、ブックマークリストをスマートフォン８に配信する（ステップＳ３９）。
【０１７５】
スマートフォン８の取得部３８がこのブックマークリストを取得することにより、スマートフォン８の表示制御部４０は、このブックマークリストに基づいて、ブックマーク一覧画面４６を表示部１３に表示させる（ステップＳ４０）。
【０１７６】
ユーザが、例えばブックマークリストに登録された「番組Ｂ」のコンテンツを再生するためのユーザ操作をスマートフォン８で行ったとする。なお、このユーザ操作は、実施の形態１で説明したステップＳ１３のユーザ操作と実質的に同じであるので、説明を省略する。そして、ユーザが、ブックマーク一覧画面４６から遷移した再生画面５２（図７参照）で再生ボタン６２を指４４でタップするユーザ操作を行ったとする。そのユーザ操作がスマートフォン８の受付部３６で受け付けられると、そのユーザ操作に基づく指示が受付部３６からスマートフォン８の再生制御部４２に送られる。これにより、「番組Ｂ」のコンテンツの配信要求が、スマートフォン８からレコーダ４Ａに送信される。この要求を受けたレコーダ４Ａは、レコーダ４Ａのコンテンツ配信部２６からスマートフォン８に、「番組Ｂ」のコンテンツを配信する（ステップＳ４１）。
【０１７７】
こうして、スマートフォン８では、「番組Ｂ」のコンテンツの再生（ストリーミング再生）が開始される（ステップＳ４２）。
【０１７８】
ユーザがコンテンツの終端よりも前に停止ボタン６４を指４４でタップするユーザ操作を行ったとする。そのユーザ操作がスマートフォン８の受付部３６で受け付けられると、そのユーザ操作に基づく指示が受付部３６からスマートフォン８の再生制御部４２に送られて、コンテンツの再生が停止される（ステップＳ４３）。
【０１７９】
このとき、スマートフォン８は、再生制御部４２からレコーダ４Ａの管理部３４に、再生位置更新情報を通知する（ステップＳ４４）。
【０１８０】
レコーダ４Ａの管理部３４は、スマートフォン８から再生位置更新情報が通知されると、その再生位置更新情報に基づいて、ブックマークリストに含まれる再生位置情報を更新する（ステップＳ４５）。
【０１８１】
その後、ユーザが、例えばブックマークリストに登録された「番組Ｂ」のコンテンツを再度再生するために、上述と同様に、再生画面５２の再生ボタン６２を指４４でタップするユーザ操作を行ったとする。そのユーザ操作がスマートフォン８の受付部３６で受け付けられると、そのユーザ操作に基づく指示が受付部３６からスマートフォン８の再生制御部４２に送られる。これにより、「番組Ｂ」のコンテンツの配信要求がスマートフォン８からレコーダ４Ａに送信される。この要求を受けたレコーダ４Ａは、ブックマークリストに登録された「番組Ｂ」の再生位置情報を参照し、レコーダ４Ａのコンテンツ配信部２６からスマートフォン８に、「番組Ｂ」のコンテンツを、更新された再生位置から配信する（ステップＳ４６）。
【０１８２】
これにより、スマートフォン８上では、「番組Ｂ」のコンテンツが、更新された再生位置から開始される（ステップＳ４７）。
【０１８３】
「番組Ｂ」のコンテンツがコンテンツの終端まで再生されると、コンテンツの再生が終了する（ステップＳ４８）。
【０１８４】
このとき、スマートフォン８の再生制御部４２は、コンテンツの再生が終了したことをレコーダ４Ａの管理部３４に通知する（ステップＳ４９）。
【０１８５】
これにより、レコーダ４Ａの管理部３４は、コンテンツの再生が終了したと判定し、「番組Ｂ」のコンテンツに関するコンテンツ情報をブックマークリストから削除する（ステップＳ５０）。
【０１８６】
さらに、レコーダ４Ａの管理部３４は、「番組Ｂ」のコンテンツに関するコンテンツ情報を表示履歴リストに追加する。
【０１８７】
［２−４．効果等］
上述したように、本実施の形態において、録画装置は、コンテンツを再生するための端末装置と通信可能であり、コンテンツを録画するための録画装置である。この録画装置は、録画部と、コンテンツ記憶部と、コンテンツ情報記憶部と、コンテンツ配信部と、リスト記憶部と、管理部と、を備える。録画部は、コンテンツをコンテンツ記憶部に録画する。コンテンツ記憶部は、録画部の指示によりコンテンツを記憶する。コンテンツ情報記憶部は、録画されたコンテンツに関するコンテンツ情報を記憶する。コンテンツ配信部は、コンテンツ記憶部に記憶されたコンテンツを端末装置に配信する。リスト記憶部は、コンテンツの再生位置を示す再生位置情報を含むコンテンツ情報を有するブックマークリストを記憶する。管理部は、ブックマークリストを管理する。そして、管理部は、端末装置においてコンテンツの再生を停止するユーザ操作が受け付けられた際には、更新されたコンテンツの再生位置を示す再生位置更新情報に基づいて、ブックマークリストに含まれる再生位置情報を更新する。また、管理部は、端末装置においてコンテンツの再生が終了した、と判定した際には、コンテンツに関するコンテンツ情報をブックマークリストから削除する。
【０１８８】
なお、コンテンツ再生システム２Ａはコンテンツ再生システムの一例である。スマートフォン８は端末装置の一例である。レコーダ４Ａは録画装置の一例である。録画部１６は録画部の一例である。コンテンツ記憶部２０はコンテンツ記憶部の一例である。コンテンツ情報記憶部２２はコンテンツ情報記憶部の一例である。コンテンツ配信部２６はコンテンツ配信部の一例である。リスト記憶部３０はリスト記憶部の一例である。管理部３４は管理部の一例である。
【０１８９】
例えば、実施の形態２に示したレコーダ４Ａの構成例では、レコーダ４Ａは、コンテンツを再生するためのスマートフォン８と通信可能であり、コンテンツを録画するための録画装置である。レコーダ４Ａは、録画部１６と、コンテンツ記憶部２０と、コンテンツ情報記憶部２２と、コンテンツ配信部２６と、リスト記憶部３０と、管理部３４と、を備える。録画部１６は、コンテンツをコンテンツ記憶部２０に録画する。コンテンツ記憶部２０は、録画部１６の指示によりコンテンツを記憶する。コンテンツ情報記憶部２２は、録画されたコンテンツに関するコンテンツ情報を記憶する。コンテンツ配信部２６は、コンテンツ記憶部２０に記憶されたコンテンツをスマートフォン８に配信する。リスト記憶部３０は、ブックマークリストを記憶する。ブックマークリストは、コンテンツの再生位置を示す再生位置情報を含むコンテンツ情報を有する。管理部３４は、ブックマークリストを管理する。そして、管理部３４は、スマートフォン８においてコンテンツの再生を停止するユーザ操作が受け付けられた際には、更新されたコンテンツの再生位置を示す再生位置更新情報に基づいて、ブックマークリストに含まれる再生位置情報を更新する。また、管理部３４は、スマートフォン８においてコンテンツの再生が終了した、と判定した際には、当該コンテンツに関するコンテンツ情報をブックマークリストから削除する。
【０１９０】
これにより、レコーダ４Ａに、実施の形態１で説明したサーバ６の機能を持たせることができる。
【０１９１】
（実施の形態３）
［３−１．コンテンツ再生システムの全体構成］
次に、図１６を参照しながら、実施の形態３におけるコンテンツ再生システム２Ｂの全体構成について説明する。
【０１９２】
図１６は、実施の形態３におけるコンテンツ再生システム２Ｂの一構成例を模式的に示す図である。
【０１９３】
図１６に示すように、本実施の形態のコンテンツ再生システム２Ｂは、レコーダ４およびスマートフォン８Ｂを備えている。コンテンツ再生システム２Ｂは、実施の形態１で説明したコンテンツ再生システム２と比較して、サーバ６を備えていない。コンテンツ再生システム２Ｂでは、スマートフォン８Ｂが、上述したサーバ６の機能を有している。
【０１９４】
なお、実施の形態３に示すレコーダ４は、実施の形態１に示したレコーダ４と実質的に同じ構成であるので説明を省略する。
【０１９５】
［３−２．スマートフォンの機能構成］
次に、図１７を参照しながら、スマートフォン８Ｂの機能構成について説明する。
【０１９６】
図１７は、実施の形態３におけるスマートフォン８Ｂの機能構成の一例を模式的に示すブロック図である。
【０１９７】
図１７に示すように、スマートフォン８Ｂは、実施の形態１で説明したスマートフォン８が備える構成要素に加えて、さらに、リスト記憶部３０および管理部３４、を有する。
【０１９８】
なお、スマートフォン８Ｂは、実施の形態１で説明したスマートフォン８が備える取得部３８を有していない。これは、スマートフォン８Ｂが、上述したサーバ６の機能を有するためである。
【０１９９】
スマートフォン８Ｂが有するリスト記憶部３０および管理部３４は、実施の形態１で説明したサーバ６が有するリスト記憶部３０および管理部３４と、実質的に同じ機能を有する。そのため、本実施の形態では、スマートフォン８Ｂが有するリスト記憶部３０および管理部３４についての説明は省略する。
【０２００】
［３−３．コンテンツ再生システムの動作］
次に、図１８を参照しながら、コンテンツ再生システム２Ｂの動作について説明する。
【０２０１】
図１８は、実施の形態３におけるコンテンツ再生システム２Ｂの動作の流れの一例を示すシーケンス図である。
【０２０２】
図１８に示すように、まず、ステップＳ６１〜Ｓ６５が実行される。なお、ステップＳ６１〜Ｓ６５の各ステップは、実施の形態１で図８を用いて説明したステップＳ１〜Ｓ５の各ステップと実施的に同じ処理であるので、説明を省略する。
【０２０３】
スマートフォン８Ｂの管理部３４は、録画されたコンテンツに関するコンテンツ情報の配信をレコーダ４に要求する（ステップＳ６６）。スマートフォン８Ｂからレコーダ４へのこの要求は、定期的に行われてもよい。
【０２０４】
この要求を受けたレコーダ４では、レコーダ４のコンテンツ情報配信部２８が、該当するコンテンツに関するコンテンツ情報をコンテンツ情報記憶部２２から読み出し、読み出したコンテンツ情報をスマートフォン８Ｂに配信する（ステップＳ６７）。
【０２０５】
次に、ユーザがスマートフォン８Ｂ上で、所望のコンテンツをブックマークリストに登録するユーザ操作を行ったとする。そのユーザ操作がスマートフォン８Ｂの受付部３６で受け付けられると、そのユーザ操作に基づく指示が受付部３６からスマートフォン８Ｂの管理部３４に送られる（ステップＳ６８）。
【０２０６】
なお、所望のコンテンツをブックマークリストに登録するユーザ操作は、実施の形態１で説明した同操作と実質的に同じであるので、説明を省略する。
【０２０７】
この要求を受けたスマートフォン８Ｂの管理部３４は、レコーダ４から配信された当該コンテンツのコンテンツ情報を、ブックマークリストに追加する（ステップＳ６９）。
【０２０８】
その後、ユーザが、ブックマークリストに登録されたコンテンツを視聴するために、スマートフォン８Ｂ上でブックマーク一覧画面４６（図６参照）を表示するユーザ操作を行ったとする。そのユーザ操作がスマートフォン８Ｂの受付部３６で受け付けられると、ブックマーク一覧画面４６（図６参照）を表示するためのアプリケーション（ソフトウエア）がスマートフォン８Ｂで起動する。また、そのユーザ操作に基づく指示が受付部３６からスマートフォン８Ｂの表示制御部４０に送られる。これにより、スマートフォン８Ｂの表示制御部４０は、リスト記憶部３０に記憶されているブックマークリストに基づいて、ブックマーク一覧画面４６を表示部１３に表示させる（ステップＳ７０）。
【０２０９】
ユーザが、例えばブックマークリストに登録された「番組Ｂ」のコンテンツを再生するためのユーザ操作をスマートフォン８Ｂで行ったとする。なお、このユーザ操作は、実施の形態１で説明したステップＳ１３のユーザ操作と実質的に同じであるので、説明を省略する。そして、ユーザが、ブックマーク一覧画面４６から遷移した再生画面５２（図７参照）で再生ボタン６２を指４４でタップするユーザ操作を行ったとする。そのユーザ操作がスマートフォン８Ｂの受付部３６で受け付けられると、そのユーザ操作に基づく指示が受付部３６からスマートフォン８Ｂの再生制御部４２に送られる。これにより、「番組Ｂ」のコンテンツの配信要求が、スマートフォン８Ｂからレコーダ４に送信される。この要求を受けたレコーダ４は、レコーダ４のコンテンツ配信部２６からスマートフォン８Ｂに、「番組Ｂ」のコンテンツを配信する（ステップＳ７１）。
【０２１０】
こうして、スマートフォン８Ｂでは、「番組Ｂ」のコンテンツの再生（ストリーミング再生）が開始される（ステップＳ７２）。
【０２１１】
ユーザがコンテンツの終端よりも前に停止ボタン６４を指４４でタップするユーザ操作を行ったとする。そのユーザ操作がスマートフォン８Ｂの受付部３６で受け付けられると、そのユーザ操作に基づく指示が受付部３６からスマートフォン８Ｂの再生制御部４２に送られて、コンテンツの再生が停止される（ステップＳ７３）。
【０２１２】
このとき、スマートフォン８Ｂの再生制御部４２は、管理部３４に、再生位置更新情報を通知する。スマートフォン８Ｂの管理部３４は、再生制御部４２から再生位置更新情報が通知されると、その再生位置更新情報に基づいて、ブックマークリストに含まれる再生位置情報を更新する（ステップＳ７４）。
【０２１３】
その後、ユーザが、例えばブックマークリストに登録された「番組Ｂ」のコンテンツを再度再生するために、上述と同様に、再生画面５２の再生ボタン６２を指４４でタップするユーザ操作を行ったとする。そのユーザ操作がスマートフォン８Ｂの受付部３６で受け付けられると、そのユーザ操作に基づく指示が受付部３６からスマートフォン８Ｂの再生制御部４２に送られる。これにより、「番組Ｂ」のコンテンツの配信要求と、ブックマークリストに登録された「番組Ｂ」の再生位置情報と、がスマートフォン８Ｂからレコーダ４に送信される。この要求を受けたレコーダ４は、レコーダ４のコンテンツ配信部２６からスマートフォン８Ｂに、「番組Ｂ」のコンテンツを、通知された再生位置から配信する（ステップＳ７５）。
【０２１４】
これにより、スマートフォン８Ｂ上では、「番組Ｂ」のコンテンツが、更新された再生位置から開始される（ステップＳ７６）。
【０２１５】
「番組Ｂ」のコンテンツがコンテンツの終端まで再生されると、コンテンツの再生が終了する（ステップＳ７７）。
【０２１６】
このとき、スマートフォン８Ｂの再生制御部４２は、コンテンツの再生が終了したことを管理部３４に通知する。これにより、スマートフォン８Ｂの管理部３４は、コンテンツの再生が終了したと判定し、「番組Ｂ」のコンテンツに関するコンテンツ情報をブックマークリストから削除する（ステップＳ７８）。
【０２１７】
さらに、スマートフォン８Ｂの管理部３４は、「番組Ｂ」のコンテンツに関するコンテンツ情報を表示履歴リストに追加する。
【０２１８】
［３−４．効果等］
上述したように、本実施の形態において、コンテンツ再生システムは、コンテンツを録画するための録画装置と、コンテンツを再生するための端末装置と、を備える。録画装置は、録画部と、コンテンツ記憶部と、コンテンツ情報記憶部と、コンテンツ配信部と、コンテンツ情報配信部と、を有する。録画部は、コンテンツをコンテンツ記憶部に録画する。コンテンツ記憶部は、録画部の指示によりコンテンツを記憶する。コンテンツ情報記憶部は、録画されたコンテンツに関するコンテンツ情報を記憶する。コンテンツ配信部は、コンテンツ記憶部に記憶されたコンテンツを端末装置に配信する。コンテンツ情報配信部は、コンテンツ情報記憶部に記憶されたコンテンツ情報を端末装置に配信する。端末装置は、表示部と、ユーザの操作を受け付ける受付部と、リスト記憶部と、管理部と、表示制御部と、再生制御部と、を有する。リスト記憶部は、ブックマークリストを記憶する。ブックマークリストは、コンテンツの再生位置を示す再生位置情報を含むコンテンツ情報を有する。管理部は、ブックマークリストを管理する。表示制御部は、ブックマークリストに含まれるコンテンツ情報の一覧を示すブックマーク一覧画面を表示部に表示させる。再生制御部は、コンテンツを再生するユーザ操作を受付部が受け付けた際には、再生位置情報が示す再生位置からコンテンツの再生を開始する。また、再生制御部は、コンテンツの再生を停止するユーザ操作を受付部が受け付けた際には、コンテンツの再生を停止し、かつ、更新されたコンテンツの再生位置を示す再生位置更新情報を管理部に通知する。そして、端末装置の管理部は、再生制御部から再生位置更新情報が通知された際には、その再生位置更新情報に基づいて、ブックマークリストに含まれる再生位置情報を更新する。また、管理部は、コンテンツの再生が終了したと判定した際には、当該コンテンツに関するコンテンツ情報をブックマークリストから削除する。
【０２１９】
なお、コンテンツ再生システム２Ｂはコンテンツ再生システムの一例である。レコーダ４は録画装置の一例である。スマートフォン８Ｂは端末装置の一例である。録画部１６は録画部の一例である。コンテンツ記憶部２０はコンテンツ記憶部の一例である。コンテンツ情報記憶部２２はコンテンツ情報記憶部の一例である。コンテンツ配信部２６はコンテンツ配信部の一例である。コンテンツ情報配信部２８はコンテンツ情報配信部の一例である。表示部１３は表示部の一例である。受付部３６は受付部の一例である。リスト記憶部３０はリスト記憶部の一例である。管理部３４は管理部の一例である。表示制御部４０は表示制御部の一例である。再生制御部４２は再生制御部の一例である。ブックマーク一覧画面４６はブックマーク一覧画面の一例である。
【０２２０】
例えば、実施の形態３に示したコンテンツ再生システム２Ｂの構成例では、コンテンツ再生システム２Ｂは、コンテンツを録画するためのレコーダ４と、コンテンツを再生するためのスマートフォン８Ｂと、を備える。レコーダ４は、録画部１６と、コンテンツ記憶部２０と、コンテンツ情報記憶部２２と、コンテンツ配信部２６と、コンテンツ情報配信部２８と、を有する。録画部１６は、コンテンツをコンテンツ記憶部２０に録画する。コンテンツ記憶部２０は、録画部１６の指示によりコンテンツを記憶する。コンテンツ情報記憶部２２は、録画されたコンテンツに関するコンテンツ情報を記憶する。コンテンツ配信部２６は、コンテンツ記憶部２０に記憶されたコンテンツをスマートフォン８Ｂに配信する。コンテンツ情報配信部２８は、コンテンツ情報記憶部２２に記憶されたコンテンツ情報をスマートフォン８Ｂに配信する。スマートフォン８Ｂは、表示部１３と、ユーザの操作を受け付ける受付部３６と、リスト記憶部３０と、管理部３４と、表示制御部４０と、再生制御部４２と、を有する。リスト記憶部３０は、コンテンツの再生位置を示す再生位置情報を含むコンテンツ情報を有するブックマークリストを記憶する。管理部３４は、ブックマークリストを管理する。表示制御部４０は、ブックマークリストに含まれるコンテンツ情報の一覧を示すブックマーク一覧画面４６を表示部１３に表示させる。再生制御部４２は、コンテンツを再生するユーザ操作を受付部３６が受け付けた際には、再生位置情報が示す再生位置からコンテンツの再生を開始する。また、再生制御部４２は、コンテンツの再生を停止するユーザ操作を受付部３６が受け付けた際には、コンテンツの再生を停止し、かつ、更新されたコンテンツの再生位置を示す再生位置更新情報を管理部３４に通知する。そして、スマートフォン８Ｂの管理部３４は、再生制御部４２から再生位置更新情報が通知された際には、その再生位置更新情報に基づいて、ブックマークリストに含まれる再生位置情報を更新する。また、管理部３４は、コンテンツの再生が終了したと判定した際には、当該コンテンツに関するコンテンツ情報をブックマークリストから削除する。
【０２２１】
また、本実施の形態において、コンテンツ再生方法は、コンテンツを録画するための録画装置と、コンテンツを再生するための端末装置と、を備えるコンテンツ再生システムにおけるコンテンツ再生方法である。このコンテンツ再生方法は、録画対象のコンテンツが録画装置のコンテンツ記憶部に記憶されるステップと、録画されたコンテンツに関するコンテンツ情報が録画装置のコンテンツ情報記憶部に記憶されるステップと、コンテンツ情報記憶部に記憶されたコンテンツ情報が録画装置から端末装置に配信されるステップと、コンテンツの再生位置を示す再生位置情報を含むコンテンツ情報を有するブックマークリストが端末装置のリスト記憶部に記憶されるステップと、ブックマークリストに含まれるコンテンツ情報の一覧を示すブックマーク一覧画面が端末装置の表示部に表示されるステップと、コンテンツを再生するユーザ操作が端末装置の受付部で受け付けられた際に、録画装置から端末装置にコンテンツが配信され、かつ、再生位置情報が示す再生位置からコンテンツの再生が開始されるステップと、コンテンツの再生を停止するユーザ操作が受付部で受け付けられた際に、コンテンツの再生が停止され、かつ、更新されたコンテンツの再生位置を示す再生位置更新情報に基づいて、ブックマークリストに含まれる再生位置情報が更新されるステップと、コンテンツの再生が終了したと判定された際に、当該コンテンツに関するコンテンツ情報がブックマークリストから削除されるステップと、を含む。
【０２２２】
例えば、実施の形態３に例示したコンテンツ再生方法は、コンテンツを録画するためのレコーダ４と、コンテンツを再生するためのスマートフォン８Ｂと、を備えるコンテンツ再生システム２Ｂにおけるコンテンツ再生方法である。このコンテンツ再生方法は、録画対象のコンテンツがレコーダ４のコンテンツ記憶部２０に記憶されるステップと、録画されたコンテンツに関するコンテンツ情報がレコーダ４のコンテンツ情報記憶部２２に記憶されるステップと、コンテンツ情報記憶部２２に記憶されたコンテンツ情報がレコーダ４からスマートフォン８Ｂに配信されるステップと、コンテンツの再生位置を示す再生位置情報を含むコンテンツ情報を有するブックマークリストがスマートフォン８Ｂのリスト記憶部３０に記憶されるステップと、ブックマークリストに含まれるコンテンツ情報の一覧を示すブックマーク一覧画面４６がスマートフォン８Ｂの表示部１３に表示されるステップと、コンテンツを再生するユーザ操作がスマートフォン８Ｂの受付部３６で受け付けられた際に、レコーダ４からスマートフォン８Ｂにコンテンツが配信され、かつ、再生位置情報が示す再生位置からコンテンツの再生が開始されるステップと、コンテンツの再生を停止するユーザ操作が受付部３６で受け付けられた際に、コンテンツの再生が停止され、かつ、更新されたコンテンツの再生位置を示す再生位置更新情報に基づいて、ブックマークリストに含まれる再生位置情報が更新されるステップと、コンテンツの再生が終了したと判定された際に、当該コンテンツに関するコンテンツ情報がブックマークリストから削除されるステップと、を含む。
【０２２３】
これにより、スマートフォン８Ｂに、実施の形態１で説明したサーバ６の機能を持たせることができる。
【０２２４】
コンテンツ再生システムにおいて、端末装置の管理部は、コンテンツの終端までコンテンツが再生された場合に、コンテンツの再生が終了したと判定してもよい。
【０２２５】
例えば、実施の形態３に示したコンテンツ再生システム２Ｂの構成例では、スマートフォン８Ｂの管理部３４は、コンテンツの終端までコンテンツが再生された場合に、コンテンツの再生が終了したと判定する。
【０２２６】
これにより、スマートフォン８Ｂの管理部３４は、ユーザがコンテンツをコンテンツの終端まで視聴した際に、コンテンツの再生が終了したと判定することができる。
【０２２７】
コンテンツ再生システムにおいて、端末装置の管理部は、コンテンツの再生を停止するユーザ操作を端末装置の受付部が受け付けた時点で、コンテンツの残り再生時間が所定時間以下であり、かつ、コンテンツの全再生時間に対する残り再生時間の割合が所定値以下である場合に、コンテンツの再生が終了したと判定してもよい。
【０２２８】
例えば、実施の形態３に示したコンテンツ再生システム２Ｂの構成例では、スマートフォン８Ｂの管理部３４は、コンテンツの再生を停止するユーザ操作をスマートフォン８Ｂの受付部３６が受け付けた時点で、コンテンツの残り再生時間が所定時間以下であり、かつ、コンテンツの全再生時間に対する残り再生時間の割合が所定値以下である場合に、コンテンツの再生が終了したと判定する。
【０２２９】
これにより、スマートフォン８Ｂの管理部３４は、ユーザがコンテンツをコンテンツの終端近傍まで視聴した際に、コンテンツの再生が終了したと判定することができる。
【０２３０】
コンテンツ再生システムにおいて、端末装置のリスト記憶部は、再生が終了したコンテンツに関するコンテンツ情報を含む再生履歴リストをさらに記憶してもよい。端末装置の管理部は、コンテンツの再生が終了したと判定した際には、当該コンテンツに関するコンテンツ情報をブックマークリストから削除するとともに、当該コンテンツ情報を再生履歴リストに追加してもよい。
【０２３１】
例えば、実施の形態３に示したコンテンツ再生システム２Ｂの構成例では、スマートフォン８Ｂのリスト記憶部３０は、再生が終了したコンテンツに関するコンテンツ情報を含む再生履歴リストをさらに記憶する。スマートフォン８Ｂの管理部３４は、コンテンツの再生が終了したと判定した際には、当該コンテンツに関するコンテンツ情報をブックマークリストから削除するとともに、当該コンテンツ情報を再生履歴リストに追加する。
【０２３２】
これにより、ブックマークリストからコンテンツ情報が削除された場合であっても、ユーザは、再生履歴一覧画面から当該コンテンツ情報に対応するコンテンツを再生することができる。
【０２３３】
コンテンツ再生システムにおいて、端末装置の管理部は、コンテンツを選択するユーザ操作を端末装置の受付部が受け付けることにより、当該コンテンツに関するコンテンツ情報をブックマークリストに追加してもよい。
【０２３４】
例えば、実施の形態３に示したコンテンツ再生システム２Ｂの構成例では、スマートフォン８Ｂの管理部３４は、コンテンツを選択するユーザ操作をスマートフォン８Ｂの受付部３６が受け付けることにより、当該コンテンツに関するコンテンツ情報をブックマークリストに追加する。
【０２３５】
これにより、ユーザは、スマートフォン８Ｂを用いてコンテンツをブックマークリストに登録することができる。
【０２３６】
コンテンツ再生システムにおいて、端末装置の管理部は、コンテンツが再生されている状態でコンテンツを選択するユーザ操作を端末装置の受付部が受け付けることにより、当該コンテンツに関するコンテンツ情報をブックマークリストに追加してもよい。
【０２３７】
例えば、実施の形態３に示したコンテンツ再生システム２Ｂの構成例では、スマートフォン８Ｂの管理部３４は、コンテンツが再生されている状態でコンテンツを選択する操作をスマートフォン８Ｂの受付部３６が受け付けることにより、当該コンテンツに関するコンテンツ情報をブックマークリストに追加する。
【０２３８】
これにより、ユーザは、コンテンツの再生中であっても、スマートフォン８Ｂを用いて当該コンテンツをブックマークリストに登録することができる。
【０２３９】
コンテンツ再生システムにおいて、端末装置の受付部は、コンテンツの録画を予約するための録画予約画面が表示部に表示されている状態で、コンテンツを選択するユーザ操作を受け付け可能であってもよい。端末装置の管理部は、コンテンツの録画が完了した際に、当該コンテンツに関するコンテンツ情報をブックマークリストに追加してもよい。
【０２４０】
なお、録画予約画面７８は録画予約画面の一例である。
【０２４１】
例えば、実施の形態３に示したコンテンツ再生システム２Ｂの構成例では、スマートフォン８Ｂの受付部３６は、コンテンツの録画を予約するための録画予約画面７８が表示部１３に表示されている状態で、コンテンツを選択するユーザ操作を受け付け可能である。スマートフォン８Ｂの管理部３４は、コンテンツの録画が完了した際に、当該コンテンツに関するコンテンツ情報をブックマークリストに追加する。
【０２４２】
これにより、ユーザは、コンテンツの録画予約を行う際に、コンテンツをブックマークリストに登録するための操作を行うことができる。
【０２４３】
（実施の形態４）
［４−１．コンテンツ再生システムの全体構成］
次に、図１９を参照しながら、実施の形態４におけるコンテンツ再生システム２Ｃの全体構成について説明する。
【０２４４】
図１９は、実施の形態４におけるコンテンツ再生システム２Ｃの一構成例を模式的に示す図である。
【０２４５】
図１９に示すように、本実施の形態のコンテンツ再生システム２Ｃは、レコーダ４、サーバ６、およびスマートフォン８Ｃ、を備えている。本実施の形態のコンテンツ再生システム２Ｃは、実施の形態１で説明したコンテンツ再生システム２と比較して、スマートフォン８Ｃの構成が実施の形態１のスマートフォン８と異なる。
【０２４６】
なお、実施の形態４に示すレコーダ４およびサーバ６は、実施の形態１に示したレコーダ４およびサーバ６と実質的に同じ構成であるので説明を省略する。
【０２４７】
［４−２．スマートフォンの機能構成］
次に、図２０を参照しながら、スマートフォン８Ｃの機能構成について説明する。
【０２４８】
図２０は、実施の形態４におけるスマートフォン８Ｃの機能構成の一例を模式的に示すブロック図である。
【０２４９】
図２０に示すように、スマートフォン８Ｃは、実施の形態１で説明したスマートフォン８が備える構成要素に加えて、さらにコンテンツ記憶部８６を有する。
【０２５０】
コンテンツ記憶部８６は、取得部３８Ｃにより取得されるコンテンツを記憶する。
【０２５１】
スマートフォン８Ｃの取得部３８Ｃは、実施の形態１に示したスマートフォン８の取得部３８と実質的に同じ動作をするが、さらに以下の動作をするように構成されている。すなわち、取得部３８Ｃは、ブックマークリストがサーバ６からスマートフォン８Ｃに配信された際に、ブックマークリストに登録されたコンテンツの配信をレコーダ４に要求し、その要求に応じてレコーダ４から配信されたコンテンツを取得する。
【０２５２】
スマートフォン８Ｃの再生制御部４２Ｃは、実施の形態１に示したスマートフォン８の再生制御部４２と実質的に同じ動作をするが、さらに以下の動作をするように構成されている。すなわち、再生制御部４２Ｃは、ブックマークリストからコンテンツ情報が削除された際に、当該コンテンツ情報に対応するコンテンツをコンテンツ記憶部８６から削除する。
【０２５３】
［４−３．コンテンツ再生システムの動作］
次に、図２１を参照しながら、コンテンツ再生システム２Ｃの動作について説明する。
【０２５４】
図２１は、実施の形態４におけるコンテンツ再生システム２Ｃの動作の流れの一例を示すシーケンス図である。
【０２５５】
なお、図２１では、図８に示すフローチャートのステップと実質的に同じ処理が実行されるステップには、そのステップのステップ番号と同一のステップ番号を付与し、その説明を省略する。
【０２５６】
図２１に示すように、実施の形態１で説明したステップＳ１〜Ｓ１２と実質的に同じステップＳ１〜Ｓ１２が実行された後、スマートフォン８Ｃの取得部３８Ｃは、ブックマークリストに登録されたコンテンツの配信をレコーダ４に要求する（ステップＳ８１）。
【０２５７】
この要求を受けたレコーダ４は、レコーダ４のコンテンツ配信部２６（図２参照）からスマートフォン８Ｃに、ブックマークリストに登録されたコンテンツを配信する（ステップＳ８２）。
【０２５８】
スマートフォン８Ｃの取得部３８Ｃは、レコーダ４から配信されたコンテンツを取得する。そして、スマートフォン８Ｃのコンテンツ記憶部８６は、取得部３８Ｃで取得されたコンテンツを記憶する（ステップＳ８３）。
【０２５９】
ユーザによりブックマーク一覧画面４６（図６参照）からコンテンツを再生するユーザ操作が行われ、そのユーザ操作がスマートフォン８Ｃの受付部３６で受け付けられると、そのユーザ操作に基づく指示が受付部３６からスマートフォン８Ｃの再生制御部４２Ｃに送られる。その指示を受けた再生制御部４２Ｃは、その指示に基づきコンテンツ記憶部８６からコンテンツを読み出し、読み出したコンテンツを再生する（ステップＳ１４）。
【０２６０】
なお、ブックマーク一覧画面４６から所望のコンテンツを再生するユーザ操作は、実施の形態１で説明した同操作と実質的に同じであるので、説明を省略する。
【０２６１】
ステップＳ１４以降は、実施の形態１で説明したステップＳ１５〜Ｓ２２と実質的に同じステップＳ１５〜Ｓ２２が実行される。
【０２６２】
そして、スマートフォン８Ｃの再生制御部４２Ｃは、ステップＳ２２が実行された後に、ブックマークリストから削除されたコンテンツ情報に対応するコンテンツを、コンテンツ記憶部８６から削除する（ステップＳ８４）。
【０２６３】
なお、コンテンツをレコーダ４からスマートフォン８Ｃに配信するタイミング（ステップＳ８２が実行されるタイミング）は、ブックマークリストがサーバ６からスマートフォン８Ｃに配信された直後でもよい。しかし、本開示は何らこの動作に限定されない。例えばブックマークリストがサーバ６からスマートフォン８Ｃに配信された後、ユーザが就寝している可能性が高い夜間の時間帯等に、レコーダ４からスマートフォン８Ｃにコンテンツが配信されてもよい。
【０２６４】
［４−４．効果等］
上述したように、本実施の形態において、コンテンツ再生システムは、サーバと、コンテンツを再生するための端末装置と、を備える。サーバは、リスト記憶部と、管理部と、を有する。リスト記憶部は、ブックマークリストを記憶する。ブックマークリストは、コンテンツの再生位置を示す再生位置情報を含むコンテンツ情報を有する。管理部は、ブックマークリストを管理する。端末装置は、表示部と、ユーザの操作を受け付ける受付部と、サーバからブックマークリストを取得する取得部と、コンテンツ記憶部と、表示制御部と、再生制御部と、を有する。コンテンツ記憶部は、ブックマークリストに含まれるコンテンツ情報に対応するコンテンツであって、外部の装置から配信されたコンテンツ、を記憶する。表示制御部は、ブックマークリストに含まれるコンテンツ情報の一覧を示すブックマーク一覧画面を表示部に表示させる。再生制御部は、コンテンツを再生するユーザ操作を受付部が受け付けた際には、コンテンツ記憶部に記憶されたコンテンツの再生を、再生位置情報が示す再生位置から開始する。また、再生制御部は、コンテンツの再生を停止するユーザ操作を受付部が受け付けた際には、コンテンツの再生を停止し、かつ、更新されたコンテンツの再生位置を示す再生位置更新情報を管理部に通知する。そして、サーバの管理部は、端末装置の再生制御部から再生位置更新情報が通知された際には、その再生位置更新情報に基づいて、ブックマークリストに含まれる再生位置情報を更新する。そして、サーバの管理部は、更新した再生位置情報を端末装置の表示部に表示させる。
【０２６５】
なお、コンテンツ再生システム２Ｃはコンテンツ再生システムの一例である。サーバ６はサーバの一例である。スマートフォン８Ｃは端末装置の一例である。リスト記憶部３０はリスト記憶部の一例である。管理部３４は管理部の一例である。表示部１３は表示部の一例である。受付部３６は受付部の一例である。取得部３８Ｃは取得部の一例である。コンテンツ記憶部８６はコンテンツ記憶部の一例である。表示制御部４０は表示制御部の一例である。再生制御部４２Ｃは再生制御部の一例である。ブックマーク一覧画面４６はブックマーク一覧画面の一例である。
【０２６６】
例えば、実施の形態４に示したコンテンツ再生システム２Ｃの構成例では、コンテンツ再生システム２Ｃは、サーバ６と、コンテンツを再生するためのスマートフォン８Ｃと、を備える。サーバ６は、リスト記憶部３０と、管理部３４と、を有する。リスト記憶部３０は、コンテンツの再生位置を示す再生位置情報を含むコンテンツ情報を有するブックマークリストを記憶する。管理部３４は、ブックマークリストを管理する。スマートフォン８Ｃは、表示部１３と、ユーザの操作を受け付ける受付部３６と、サーバ６からブックマークリストを取得する取得部３８Ｃと、コンテンツ記憶部８６と、表示制御部４０と、再生制御部４２Ｃと、を有する。コンテンツ記憶部８６は、ブックマークリストに含まれるコンテンツ情報に対応するコンテンツであって、レコーダ４から配信されたコンテンツ、を記憶する。表示制御部４０は、ブックマークリストに含まれるコンテンツ情報の一覧を示すブックマーク一覧画面４６を表示部１３に表示させる。再生制御部４２Ｃは、コンテンツを再生するユーザ操作を受付部３６が受け付けた際には、コンテンツ記憶部８６に記憶されたコンテンツの再生を再生位置情報が示す再生位置から開始する。また、再生制御部４２Ｃは、コンテンツの再生を停止するユーザ操作を受付部３６が受け付けた際には、コンテンツの再生を停止し、かつ、更新されたコンテンツの再生位置を示す再生位置更新情報を管理部３４に通知する。サーバ６の管理部３４は、スマートフォン８Ｃの再生制御部４２Ｃから再生位置更新情報が通知された際には、その再生位置更新情報に基づいて、ブックマークリストに含まれる再生位置情報を更新する。
【０２６７】
これにより、スマートフォン８Ｃは、ブックマークリストに登録されたコンテンツを、バックグラウンド処理により、予めスマートフォン８Ｃに取り込むことができる。したがって、ユーザが、ブックマークリストに登録されたコンテンツをスマートフォン８Ｃで再生する場合に、スマートフォン８Ｃでは、予めスマートフォン８Ｃに取り込まれたコンテンツが再生される。これにより、スマートフォン８Ｃでは、例えば電波の受信状態が悪い地域であっても、コンテンツが途中で途切れる、といった現象を低減して、そのコンテンツを再生することができる。
【０２６８】
コンテンツ再生システムにおいて、端末装置の再生制御部は、コンテンツ情報がブックマークリストから削除された際に、当該コンテンツ情報に対応するコンテンツをコンテンツ記憶部から削除してもよい。
【０２６９】
例えば、実施の形態４に示したコンテンツ再生システム２Ｃの構成例では、スマートフォン８Ｃの再生制御部４２Ｃは、コンテンツ情報がブックマークリストから削除された際に、コンテンツ情報に対応するコンテンツをコンテンツ記憶部８６から削除する。
【０２７０】
これにより、コンテンツをスマートフォン８Ｃから削除するユーザ操作を省略できるので、ユーザの利便性を高めることができる。
【０２７１】
（実施の形態５）
［５−１．コンテンツ再生システムの全体構成］
次に、図２２を参照しながら、実施の形態５におけるコンテンツ再生システム２Ｄの全体構成について説明する。
【０２７２】
図２２は、実施の形態５におけるコンテンツ再生システム２Ｄの一構成例を模式的に示す図である。
【０２７３】
図２２に示すように、本実施の形態のコンテンツ再生システム２Ｄは、レコーダ４、サーバ６Ｄ、およびスマートフォン８、を備えている。本実施の形態のコンテンツ再生システム２Ｄは、実施の形態１で説明したコンテンツ再生システム２と比較して、サーバ６Ｄの構成が実施の形態１のサーバ６と異なる。
【０２７４】
なお、実施の形態５に示すレコーダ４およびスマートフォン８は、実施の形態１に示したレコーダ４およびスマートフォン８と実質的に同じ構成であるので説明を省略する。
【０２７５】
［５−２．サーバの機能構成］
次に、図２３を参照しながら、サーバ６Ｄの機能構成について説明する。
【０２７６】
図２３は、実施の形態５におけるサーバ６Ｄの機能構成の一例を模式的に示すブロック図である。
【０２７７】
図２３に示すように、サーバ６Ｄは、実施の形態１で説明したサーバ６と実質的に同じ構成である。ただし、サーバ６Ｄが備える管理部３４Ｄは、さらに以下の動作をする点が、サーバ６が備える管理部３４と異なる。
【０２７８】
サーバ６Ｄの管理部３４Ｄは、再生位置情報が更新された際に、更新された再生位置情報を表示部１３に表示するようにスマートフォン８に指示する。
【０２７９】
［５−３．コンテンツ再生システムの動作］
次に、図２４および図２５を参照しながら、コンテンツ再生システム２Ｄの動作について説明する。
【０２８０】
図２４は、実施の形態５におけるコンテンツ再生システム２Ｄの動作の流れの一例を示すシーケンス図である。
【０２８１】
図２５は、実施の形態５におけるスマートフォン８に表示されるブックマーク一覧画面４６Ｄの一例を示す図である。
【０２８２】
なお、図２４では、図８に示すフローチャートのステップと実質的に同じ処理が実行されるステップには、そのステップのステップ番号と同一のステップ番号を付与し、その説明を省略する。
【０２８３】
図２４に示すように、実施の形態１で説明したステップＳ１〜Ｓ１７と実質的に同じステップＳ１〜Ｓ１７が実行された後、サーバ６Ｄの管理部３４Ｄは、更新された再生位置情報を表示部１３に表示するようにスマートフォン８に指示する（ステップＳ９１）。
【０２８４】
スマートフォン８の表示制御部４０は、サーバ６Ｄの管理部３４Ｄからの指示に基づいて、更新された再生位置情報を表示部１３に表示する（ステップＳ９２）。
【０２８５】
ステップＳ９２でスマートフォン８の表示部１３に表示される再生位置情報の一例を、図２５に示す。例えば、「番組Ａ」のコンテンツの再生が停止された際に、当該コンテンツの更新された再生位置が「０時間１０分００秒」であるとする。その場合、スマートフォン８の表示制御部４０は、図２５に示すように、ブックマーク一覧画面４６Ｄにおける「番組Ａ」のコンテンツの表示８８に、再生位置情報を示す表示９０（例えば、「０：１０：００再生済み」の文字列）を表示する。
【０２８６】
ステップＳ９２以降は、実施の形態１で説明したステップＳ１８〜Ｓ２１と実質的に同じステップＳ１８〜Ｓ２１が実行される。
【０２８７】
ステップＳ２１が実行された後、サーバ６Ｄの管理部３４Ｄは、スマートフォン８からの通知に基づいて、ブックマークリストに含まれる再生位置情報を更新する（ステップＳ９３）。
【０２８８】
その後、サーバ６Ｄの管理部３４Ｄは、更新された再生位置情報を表示部１３に表示するようにスマートフォン８に指示する（ステップＳ９４）。
【０２８９】
スマートフォン８の表示制御部４０は、サーバ６Ｄの管理部３４Ｄからの指示に基づいて、更新された再生位置情報を表示部１３に表示する（ステップＳ９５）。
【０２９０】
ステップＳ９５でスマートフォン８の表示部１３に表示される、更新された再生位置情報の一例を、図２５に示す。例えば、「番組Ｂ」のコンテンツの再生が終了した際に、当該コンテンツの更新された再生位置が「０時間３０分００秒」であるとする。その場合、スマートフォン８の表示制御部４０は、図２５に示すように、ブックマーク一覧画面４６Ｄにおける「番組Ｂ」のコンテンツの表示７０Ｄに、再生位置情報を示す表示９２（例えば、「０：３０：００再生済み」の文字列）を表示する（ステップＳ９５）。
【０２９１】
なお、本実施の形態では、サーバ６Ｄの管理部３４Ｄは、コンテンツの再生が終了した際に、当該コンテンツに関するコンテンツ情報をブックマークリストから削除しない。
【０２９２】
なお、本実施の形態では、更新された再生位置情報がブックマーク一覧画面４６Ｄに表示される動作例を説明したが、本開示は何らこの動作に限定されない。例えば、図４に示したようなテーブル形式のブックマークリストが表示部１３に表示され、このブックマークリスト上に、更新された再生位置情報が表示されてもよい。
【０２９３】
［５−４．効果等］
上述したように、本実施の形態において、コンテンツ再生システムは、サーバと、コンテンツを再生するための端末装置と、を備える。サーバは、リスト記憶部と、管理部と、を有する。リスト記憶部は、ブックマークリストを記憶する。ブックマークリストは、コンテンツの再生位置を示す再生位置情報を含むコンテンツ情報を有する。管理部は、ブックマークリストを管理する。端末装置は、表示部と、ユーザの操作を受け付ける受付部と、サーバからブックマークリストを取得する取得部と、表示制御部と、再生制御部と、を有する。表示制御部は、ブックマークリストに含まれるコンテンツ情報の一覧を示すブックマーク一覧画面を表示部に表示させる。再生制御部は、コンテンツを再生するユーザ操作を受付部が受け付けた際には、再生位置情報が示す再生位置からコンテンツの再生を開始する。また、再生制御部は、コンテンツの再生を停止するユーザ操作を受付部が受け付けた際には、コンテンツの再生を停止し、かつ、更新されたコンテンツの再生位置を示す再生位置更新情報を管理部に通知する。そして、サーバの管理部は、端末装置の再生制御部から再生位置更新情報が通知された際には、その再生位置更新情報に基づいて、ブックマークリストに含まれる再生位置情報を更新する。また、サーバの管理部は、更新した再生位置情報を、端末装置の表示部に表示させる。
【０２９４】
なお、コンテンツ再生システム２Ｄはコンテンツ再生システムの一例である。サーバ６Ｄはサーバの一例である。スマートフォン８は端末装置の一例である。リスト記憶部３０はリスト記憶部の一例である。管理部３４Ｄは管理部の一例である。表示部１３は表示部の一例である。受付部３６は受付部の一例である。取得部３８は取得部の一例である。表示制御部４０は表示制御部の一例である。再生制御部４２は再生制御部の一例である。ブックマーク一覧画面４６Ｄはブックマーク一覧画面の一例である。
【０２９５】
例えば、実施の形態５に示したコンテンツ再生システム２Ｄの構成例では、コンテンツ再生システム２Ｄは、サーバ６Ｄと、コンテンツを再生するためのスマートフォン８と、を備える。サーバ６Ｄは、リスト記憶部３０と、管理部３４Ｄと、を有する。リスト記憶部３０は、コンテンツの再生位置を示す再生位置情報を含むコンテンツ情報を有するブックマークリストを記憶する。管理部３４Ｄは、ブックマークリストを管理する。スマートフォン８は、表示部１３と、ユーザの操作を受け付ける受付部３６と、サーバ６Ｄからブックマークリストを取得する取得部３８と、表示制御部４０と、再生制御部４２と、を有する。表示制御部４０は、ブックマークリストに含まれるコンテンツ情報の一覧を示すブックマーク一覧画面４６Ｄを表示部１３に表示させる。再生制御部４２は、コンテンツを再生するユーザ操作を受付部３６が受け付けた際には、再生位置情報が示す再生位置からコンテンツの再生を開始する。また、再生制御部４２は、コンテンツの再生を停止するユーザ操作を受付部３６が受け付けた際には、コンテンツの再生を停止し、かつ、更新されたコンテンツの再生位置を示す再生位置更新情報を管理部３４Ｄに通知する。サーバ６Ｄの管理部３４Ｄは、スマートフォン８の再生制御部４２から再生位置更新情報が通知された際には、その再生位置更新情報に基づいて、ブックマークリストに含まれる再生位置情報を更新する。また、サーバ６Ｄの管理部３４Ｄは、更新した再生位置情報を、スマートフォン８の表示部１３に表示させる。
【０２９６】
これにより、ユーザは、ブックマークリストに登録されたコンテンツの再生位置を容易に知ることができる。
【０２９７】
（他の実施の形態）
以上のように、本出願において開示する技術の例示として、実施の形態１〜５を説明した。しかしながら、本開示における技術は、これに限定されず、変更、置き換え、付加、省略等を行った実施の形態にも適用できる。また、上記実施の形態１〜５で説明した各構成要素を組み合わせて、新たな実施の形態とすることも可能である。
【０２９８】
そこで、以下、他の実施の形態を例示する。
【０２９９】
実施の形態１〜４では、コンテンツの終端までコンテンツが再生された場合に、管理部３４が、コンテンツの再生が終了したと判定する動作例を説明した。しかし、本開示はこの動作に限定されない。例えば、管理部３４は、受付部３６がコンテンツの再生を停止する操作を受け付けた時点でコンテンツの終端近くのＣＭ（例えば、放送番組のエンディング後に流れるＣＭ）が再生されている場合に、コンテンツの再生が終了したと判定してもよい。この場合、管理部３４は、サーバ６等から配信されるＣＭ情報に基づいて、コンテンツの再生が終了したか否かを判定してもよい。
【０３００】
実施の形態では、コンテンツが、スマートフォン８（８Ｂ、８Ｃ）上でブックマーク一覧画面４６（４６Ｄ）から再生される動作例を説明した。しかし、本開示はこの動作に限定されない。例えば、コンテンツは、レコーダ４（４Ａ）上でブックマーク一覧画面から再生されてもよい。この場合、レコーダ４（４Ａ）でコンテンツの再生が停止された際には、上述と同様に、ブックマークリストの再生位置情報が更新されてもよい。
【０３０１】
実施の形態では、コンテンツを放送番組とする構成例を示した。しかし、本開示はこの構成に限定されない。例えば、コンテンツは、ユーチューブ（ＹｏｕＴｕｂｅ（登録商標））またはＮｅｔｆｌｉｘ（登録商標）等のビデオオンデマンドのコンテンツであってもよい。
【０３０２】
実施の形態では、端末装置をスマートフォン８（８Ｂ、８Ｃ）とする構成例を説明した。しかし、本開示はこの構成に限定されない。端末装置は、例えば、タブレット端末またはノートパソコン等であってもよい。
【０３０３】
実施の形態では、一人のユーザによりコンテンツ再生システム２（２Ａ、２Ｂ、２Ｃ、２Ｄ）が利用される場合について説明した。しかし、複数のユーザによりコンテンツ再生システム２（２Ａ、２Ｂ、２Ｃ、２Ｄ）が利用されてもよい。この場合、サーバ６等では、ユーザ毎にブックマークリストが管理されてもよい。また、複数のユーザがコンテンツ再生システム２（２Ａ、２Ｂ、２Ｃ、２Ｄ）を利用する際には、各ユーザは、スマートフォン８（８Ｂ、８Ｃ）でログイン操作してもよい。
【０３０４】
例えば、ユーザがレコーダ４（４Ａ）を操作する際にブックマークリストに登録されたコンテンツが誤って削除されないように、コンテンツ再生システム２（２Ａ、２Ｂ、２Ｃ、２Ｄ）が構成されてもよい。このとき、テレビジョン受像機１２等に警告メッセージが表示されてもよい。
【０３０５】
例えば、ユーザにより所定の日数分（例えば、３週間分）の全チャンネルの放送番組が全て録画されたコンテンツがブックマークリストに登録された場合に、当該コンテンツの先頭が上書きされてしまわないように、当該コンテンツがレコーダ４（４Ａ）のコンテンツ記憶部２０とは別の記憶領域に自動的にコピーされてもよい。あるいは、当該コンテンツの先頭が上書きされる前に、レコーダ４（４Ａ）からスマートフォン８（８Ｂ，８Ｃ）に警告メッセージが送信されてもよい。
【０３０６】
スマートフォン８が個人端末である場合、ユーザによりコンテンツがブックマークリストに登録される際に、実施の形態１で説明したように、更新された再生位置情報がサーバ６だけに記憶されてもよい。一方、スマートフォン８が共用端末である場合、ユーザによりコンテンツがブックマークリストに登録される際に、更新された再生位置情報は、サーバ６ではなくレコーダ４に記憶されてもよい。
【０３０７】
サーバは、コンテンツを録画するための録画装置であってもよい。すなわち、サーバは、サーバコンピュータとしての機能に加え、さらに、コンテンツをコンテンツ記憶部に録画する録画部と、録画部の指示によりコンテンツを記憶するコンテンツ記憶部と、録画されたコンテンツに関するコンテンツ情報を記憶するコンテンツ情報記憶部と、コンテンツを再生するユーザ操作を端末装置の受付部が受け付けた際に、コンテンツ記憶部に記憶されたコンテンツを端末装置に配信するコンテンツ配信部と、を備えていてもよい。
【０３０８】
なお、これらの包括的または具体的な態様は、システム、装置、集積回路、コンピュータプログラムまたはコンピュータ読み取り可能なＣＤ−ＲＯＭ等の記録媒体で実現されてもよく、システム、装置、集積回路、コンピュータプログラムおよび記録媒体の任意の組み合わせで実現されてもよい。
【０３０９】
以上のように、本開示における技術の例示として、実施の形態を説明した。そのために、添付図面および詳細な説明を提供した。
【０３１０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０３１１】
また、上述の実施の形態は、本開示における技術を例示するためのものであるから、特許請求の範囲またはその均等の範囲において種々の変更、置き換え、付加、省略などを行うことができる。例えば、上記各実施の形態を任意に組み合わせてもよい。
【産業上の利用可能性】
【０３１２】
本開示は、サーバと、コンテンツを再生するための端末装置と、を備えるコンテンツ再生システム等に適用可能である。
【符号の説明】
【０３１３】
２，２Ａ，２Ｂ，２Ｃ，２Ｄ    コンテンツ再生システム
４，４Ａ    レコーダ
６，６Ｄ    サーバ
８，８Ｂ，８Ｃ    スマートフォン
１０    インターネット
１２    テレビジョン受像機
１３    表示部
１４    チューナ
１６    録画部
１８    録画予約部
２０    コンテンツ記憶部
２２    コンテンツ情報記憶部
２４    再生部
２６    コンテンツ配信部
２８    コンテンツ情報配信部
３０    リスト記憶部
３２    リスト配信部
３４，３４Ｄ    管理部
３６    受付部
３８，３８Ｃ    取得部
４０    表示制御部
４２，４２Ｃ    再生制御部
４４    指
４６，４６Ｄ    ブックマーク一覧画面
４８，５０    タブ
５２    再生画面
５４    アイコン
５６，５８    メニュー
６０    表示領域
６２    再生ボタン
６４    停止ボタン
６６    録画一覧画面
６８，７０，７０Ｄ，８０，８８，９０，９２    表示
７２    ダイアログボックス
７４    サブメニュー
７６    ボタン
７８    録画予約画面
８２    チェックボックス
８４    予約ボタン
８６    コンテンツ記憶部
【図１】
2016129224.tif 000003
【図２】
2016129224.tif 000004
【図３】
2016129224.tif 000005
【図４】
2016129224.tif 000006
【図５】
2016129224.tif 000007
【図６】
2016129224.tif 000008
【図７】
2016129224.tif 000009
【図８】
2016129224.tif 000010
【図９】
2016129224.tif 000011
【図１０】
2016129224.tif 000012
【図１１】
2016129224.tif 000013
【図１２】
2016129224.tif 000014
【図１３】
2016129224.tif 000015
【図１４】
2016129224.tif 000016
【図１５】
2016129224.tif 000017
【図１６】
2016129224.tif 000018
【図１７】
2016129224.tif 000019
【図１８】
2016129224.tif 000020
【図１９】
2016129224.tif 000021
【図２０】
2016129224.tif 000022
【図２１】
2016129224.tif 000023
【図２２】
2016129224.tif 000024
【図２３】
2016129224.tif 000025
【図２４】
2016129224.tif 000026
【図２５】
2016129224.tif 000027
【手続補正書】
【提出日】平成29年8月4日(2017.8.4)
【手続補正１】
【補正対象書類名】明細書
【補正対象項目名】０１３２
【補正方法】変更
【補正の内容】
【０１３２】
なお、レコーダ４は録画装置の一例である。録画部１６は録画部の一例である。コンテンツ記憶部２０はコンテンツ記憶部の一例である。コンテンツ情報記憶部２２はコンテンツ情報記憶部の一例である。コンテンツ配信部２６はコンテンツ配信部の一例である。コンテンツ情報配信部２８はコンテンツ情報配信部の一例である。
【手続補正２】
【補正対象書類名】明細書
【補正対象項目名】０１６９
【補正方法】変更
【補正の内容】
【０１６９】
図１５に示すように、まず、ステップＳ３１〜Ｓ３５が実行される。なお、ステップＳ３１〜Ｓ３５の各ステップは、実施の形態１で図８を用いて説明したステップＳ１〜Ｓ５の各ステップと実質的に同じ処理であるので、説明を省略する。
【手続補正３】
【補正対象書類名】特許請求の範囲
【補正対象項目名】請求項１
【補正方法】変更
【補正の内容】
【請求項１】
コンテンツを録画するための録画装置と、前記コンテンツを再生するための端末装置と、を備えるコンテンツ再生システムであって、
前記録画装置は、
前記コンテンツを記憶するコンテンツ記憶部と、
録画された前記コンテンツに関するコンテンツ情報を記憶するコンテンツ情報記憶部と、
前記コンテンツ記憶部に記憶された前記コンテンツを前記端末装置に配信するコンテンツ配信部と、
前記コンテンツ情報記憶部に記憶された前記コンテンツ情報を前記端末装置に配信するコンテンツ情報配信部と、を有し、
前記端末装置は、
表示部と、
ユーザの操作を受け付ける受付部と、
前記コンテンツの再生位置を示す再生位置情報を含むコンテンツ情報を有するブックマークリストを記憶するリスト記憶部と、
前記ブックマークリストを管理する管理部と、
前記ブックマークリストに含まれる前記コンテンツ情報の一覧を示すブックマーク一覧画面を前記表示部に表示させる表示制御部と、
前記コンテンツを再生するユーザ操作を前記受付部が受け付けた際には、前記再生位置情報が示す再生位置から前記コンテンツの再生を開始し、前記コンテンツの再生を停止するユーザ操作を前記受付部が受け付けた際には、前記コンテンツの再生を停止し且つ更新された前記コンテンツの再生位置を示す再生位置更新情報を前記管理部に通知する再生制御部と、を有し、
前記端末装置の前記管理部は、
前記再生制御部から前記再生位置更新情報が通知された際には、前記再生位置更新情報に基づいて前記ブックマークリストに含まれる前記再生位置情報を更新し、
前記コンテンツの再生が終了したと判定した際には、当該コンテンツに関する前記コンテンツ情報を前記ブックマークリストから削除する、
コンテンツ再生システム。
【手続補正４】
【補正対象書類名】特許請求の範囲
【補正対象項目名】請求項８
【補正方法】変更
【補正の内容】
【請求項８】
コンテンツを再生するための端末装置と通信可能であり、前記コンテンツを録画するための録画装置であって、
前記コンテンツを記憶するコンテンツ記憶部と、
録画された前記コンテンツに関するコンテンツ情報を記憶するコンテンツ情報記憶部と、
前記コンテンツ記憶部に記憶された前記コンテンツを前記端末装置に配信するコンテンツ配信部と、
前記コンテンツの再生位置を示す再生位置情報を含むコンテンツ情報を有するブックマークリストを記憶するリスト記憶部と、
前記ブックマークリストを管理する管理部と、を備え、
前記管理部は、
前記端末装置において前記コンテンツの再生を停止するユーザ操作が受け付けられた際には、更新された前記コンテンツの再生位置を示す再生位置更新情報に基づいて前記ブックマークリストに含まれる前記再生位置情報を更新し、
前記端末装置において前記コンテンツの再生が終了したと判定した際には、当該コンテンツに関する前記コンテンツ情報を前記ブックマークリストから削除する、
録画装置。
【国際調査報告】
2016129224.tif 000028
2016129224.tif 000029